(57)【要約】      （修正有）【課題】表示装置を墓に取り付けたり併設したりすることなく、墓参者にメッセージを伝えると共に、メッセージを残す相手に墓参を促すメッセージ表示装置を提供する。【解決手段】本メッセージ表示装置は、携帯端末から送信された墓石の画像情報と携帯端末の位置情報とを受信する通信部と、墓石の画像情報と墓石の位置情報とに対応付けられ故人を識別する故人識別情報を特定する故人特定部と、第１のメッセージを携帯端末に出力して表示させる第１のメッセージ出力部と、閲覧可能な期間の経過後は、携帯端末において第１のメッセージが所定の期間閲覧できないように制御し、所定の期間経過後に通信部が墓石の画像情報と携帯端末の位置情報とを受信すると、第１のメッセージが閲覧できるように制御する閲覧制御部と、上記所定の期間経過後に第２のメッセージを携帯端末に出力して表示させる第２のメッセージ出力部とを備える。【選択図】図１
2018085078.tif 000002
【特許請求の範囲】
【請求項１】
故人のメッセージをユーザの携帯端末に表示させるメッセージ表示装置であって、
前記携帯端末から送信された墓石の画像情報と前記携帯端末の位置情報とを受信する通信部と、
前記通信部が受信した前記墓石の画像情報と予め記憶された前記墓石の画像情報とが一致し、かつ、前記通信部が受信した前記携帯端末の位置情報と予め記憶された前記墓石の位置情報とが一致する場合に、前記予め記憶された墓石の画像情報と前記予め記憶された墓石の位置情報とに対応付けられ前記故人を識別する故人識別情報を特定する故人特定部と、
前記故人特定部が特定した前記故人識別情報に対応付けられ予め記憶された第１のメッセージを前記携帯端末に出力して表示させる第１のメッセージ出力部と、
前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記通信部が前記墓石の画像情報と前記携帯端末の位置情報とを受信すると、前記第１のメッセージが閲覧できるように制御する閲覧制御部と、
前記所定の期間経過後に前記通信部が前記墓石の画像情報と前記携帯端末の位置情報とを受信すると、前記故人特定部が特定した前記故人識別情報に対応付けられ予め記憶された第２のメッセージを前記携帯端末に出力して表示させる第２のメッセージ出力部と
を備えるメッセージ表示装置。
【請求項２】
前記第１のメッセージを前記携帯端末に出力することができる第１の配信期間を示し予め記憶された第１の配信期間情報に基づいて、前記通信部が前記墓石の画像情報と前記携帯端末の位置情報とを受信した受信時が、前記第１の配信期間内であるかを判定し、前記第２のメッセージを前記携帯端末に出力することができる第２の配信期間を示し予め記憶された第２の配信期間情報に基づいて、前記受信時が前記第２の配信期間内であるかを判定する期間判定部をさらに備え、
前記第１のメッセージ出力部は、前記受信時が前記第１の配信期間内であると前記期間判定部が判定した場合には、前記第１のメッセージを前記携帯端末に出力して表示させ、
前記第２のメッセージ出力部は、前記受信時が前記第２の配信期間内であると前記期間判定部が判定した場合には、前記第２のメッセージを前記携帯端末に出力して表示させ、
前記閲覧制御部は、前記受信時が前記第２の配信期間内であると前記期間判定部が判定した場合には、前記携帯端末において前記第１のメッセージが閲覧できるように制御する請求項１記載のメッセージ表示装置。
【請求項３】
前記第１のメッセージ出力部は、前記受信時が前記第１の配信期間内ではないと前記期間判定部が判定した場合には、前記第１のメッセージを前記携帯端末に出力せず、
前記第２のメッセージ出力部は、前記受信時が前記第２の配信期間内ではないと前記期間判定部が判定した場合には、前記第２のメッセージを前記携帯端末に出力しない請求項２記載のメッセージ表示装置。
【請求項４】
予め記憶され不特定の人に向けたメッセージである不特定人向けメッセージを出力する不特定人向けメッセージ出力部をさらに備え、
前記通信部は、前記携帯端末から送信され前記ユーザを識別するユーザ識別情報を受信し、
前記不特定人向けメッセージ出力部は、前記通信部が受信した前記ユーザ識別情報と予め記憶され前記第１のメッセージの宛先人を示す宛先識別情報とが一致しない場合に、前記不特定人向けメッセージを前記ユーザの前記携帯端末に出力して表示させる請求項１から請求項３のいずれか１項記載のメッセージ表示装置。
【請求項５】
前記閲覧可能な期間の経過後に、前記第２のメッセージの予告を行う予告メッセージを前記携帯端末に出力して表示させる予告メッセージ出力部をさらに備える請求項１から請求項４のいずれか１項記載のメッセージ表示装置。
【請求項６】
前記閲覧可能な期間の経過後に、前記第２の配信期間情報に基づいて、前記第２の配信期間までの日数を示す解禁日情報を前記携帯端末に通知する解禁日情報通知部をさらに備える請求項２又は請求項２に従属する請求項３から請求項５のいずれか１項記載のメッセージ表示装置。
【請求項７】
前記第２の配信期間情報を変更する期間情報変更部をさらに備え、
前記通信部は、前記携帯端末から、前記第２の配信期間の変更指示と、変更後の前記第２の配信期間を示す変更希望期間情報を受信し、
前記期間情報変更部は、前記変更指示と前記変更希望期間情報とに従って、前記第２の配信期間が前記変更希望期間情報に示される前記変更後の第２の配信期間となるように、前記第２の配信期間情報を変更する請求項２又は請求項２に従属する請求項３から請求項６のいずれか１項記載のメッセージ表示装置。
【請求項８】
前記ユーザが前記故人の墓に墓参したことを示す墓参履歴情報を作成する墓参履歴情報作成部と、
前記ユーザが前記故人の墓に墓参したことを通知する墓参履歴通知部とをさらに備え、
前記通信部は、前記携帯端末から送信され前記ユーザを識別するユーザ識別情報を受信し、
前記墓参履歴情報作成部は、前記故人特定部が特定した前記故人識別情報に対応付けられ前記通信部が受信した前記ユーザ識別情報に対応付けられた前記墓参履歴情報を作成し、
前記墓参履歴通知部は、前記墓参履歴情報作成部が前記墓参履歴情報を作成すると、前記故人特定部が特定した前記故人識別情報に対応付けられ予め記憶された他のユーザ識別情報によって識別される他のユーザの携帯端末に、前記墓参履歴情報に対応付けられた前記ユーザ識別情報によって識別される前記ユーザが前記故人の墓に墓参したことを通知する請求項１から請求項７のいずれか１項記載のメッセージ表示装置。
【請求項９】
予め記憶され前記故人との続柄を示す続柄情報に基づいて、前記故人と前記ユーザとを含む家系図を前記ユーザの前記携帯端末に表示させる家系図情報出力部をさらに備え、
前記通信部は、前記携帯端末から送信され前記ユーザを識別するユーザ識別情報を受信し、
前記家系図情報出力部は、前記故人特定部が特定した前記故人識別情報に対応付けられ前記通信部が受信した前記ユーザ識別情報によって識別される前記ユーザの前記続柄情報と、前記故人特定部が特定した前記故人識別情報に対応付けられ予め記憶された他のユーザ識別情報によって識別される他のユーザの前記続柄情報とに基づいて、前記家系図を表示させるための家系図情報を作成して前記ユーザの前記携帯端末に出力し、前記家系図を前記ユーザの前記携帯端末に表示させる請求項１から請求項８のいずれか１項記載のメッセージ表示装置。
【請求項１０】
前記ユーザの墓参回数を示す墓参回数情報を作成する墓参回数情報作成部をさらに備え、
前記家系図情報出力部は、前記墓参回数情報作成部が作成した前記墓参回数情報が示す前記墓参回数に応じて、前記家系図における前記ユーザ及び前記他のユーザを示す表示を変化させる請求項９記載のメッセージ表示装置。
【請求項１１】
故人のメッセージをユーザの携帯端末に表示させるメッセージ表示装置におけるメッセージ表示方法であって、
前記メッセージ表示装置の通信部が、前記携帯端末から送信された墓石の画像情報と、前記携帯端末の位置情報とを受信する受信ステップと、
前記受信ステップにおいて前記通信部が受信した前記墓石の画像情報と予め記憶された前記墓石の画像情報とが一致し、かつ、前記受信ステップにおいて前記通信部が受信した前記携帯端末の位置情報と予め記憶された前記墓石の位置情報とが一致する場合に、前記予め記憶された墓石の画像情報と前記予め記憶された墓石の位置情報とに対応付けられ前記故人を識別する故人識別情報を特定する故人特定ステップと、
前記メッセージ表示装置の第１のメッセージ出力部が、前記故人特定ステップにおいて前記故人特定部が特定した前記故人識別情報に対応付けられ予め記憶された第１のメッセージを前記携帯端末に出力して表示させる第１のメッセージ出力ステップと、
前記メッセージ表示装置の閲覧制御部が、前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記受信ステップにおいて前記通信部が前記墓石の画像情報と前記携帯端末の位置情報とを受信すると、前記第１のメッセージが閲覧できるように制御する閲覧制御ステップと、
前記メッセージ表示装置の第２のメッセージ出力部が、前記所定の期間経過後に前記通信部が前記墓石の画像情報と前記携帯端末の位置情報とを受信すると、前記故人特定ステップにおいて前記故人特定部が特定した前記故人識別情報に対応付けられ予め記憶された第２のメッセージを前記携帯端末に出力して表示させる第２のメッセージ出力ステップと
を含むメッセージ表示方法。
【請求項１２】
故人のメッセージをユーザの携帯端末に表示させるメッセージ表示装置におけるメッセージ表示プログラムであって、
前記メッセージ表示装置の通信部が、前記携帯端末から送信された墓石の画像情報と、前記携帯端末の位置情報とを受信する受信ステップと、
前記受信ステップにおいて前記通信部が受信した前記墓石の画像情報と予め記憶された前記墓石の画像情報とが一致し、かつ、前記受信ステップにおいて前記通信部が受信した前記携帯端末の位置情報と予め記憶された前記墓石の位置情報とが一致する場合に、前記予め記憶された墓石の画像情報と前記予め記憶された墓石の位置情報とに対応付けられ前記故人を識別する故人識別情報を特定する故人特定ステップと、
前記メッセージ表示装置の第１のメッセージ出力部が、前記故人特定ステップにおいて前記故人特定部が特定した前記故人識別情報に対応付けられ予め記憶された第１のメッセージを前記携帯端末に出力して表示させる第１のメッセージ出力ステップと、
前記メッセージ表示装置の閲覧制御部が、前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記受信ステップにおいて前記通信部が前記墓石の画像情報と前記携帯端末の位置情報とを受信すると、前記第１のメッセージが閲覧できるように制御する閲覧制御ステップと、
前記メッセージ表示装置の第２のメッセージ出力部が、前記所定の期間経過後に前記通信部が前記墓石の画像情報と前記携帯端末の位置情報とを受信すると、前記故人特定ステップにおいて前記故人特定部が特定した前記故人識別情報に対応付けられ予め記憶された第２のメッセージを前記携帯端末に出力して表示させる第２のメッセージ出力ステップと
を前記メッセージ表示装置において実行させるメッセージ表示プログラム。
【発明の詳細な説明】
【技術分野】
【０００１】
本発明は、メッセージ表示装置、メッセージ表示方法及びメッセージ表示プログラムに関する。より詳しくは、故人のメッセージを表示させる装置、方法及びプログラムに関する。
【背景技術】
【０００２】
従来、ある人が生前に残したメッセージを、その人の死後に他の人に伝えるシステムが知られている（例えば、特許文献１）。例えば、故人が生前に残したメッセージは、電子的情報として保存される場合がある。一例として、ある人が残したメッセージを情報処理装置内で保管及び管理し、その人が亡くなった後に、予め定められた手順に従って、保管及び管理されている上記メッセージを予め定められたメッセージの受け取り人に通知するシステムが知られている。
【先行技術文献】
【特許文献】
【０００３】
【特許文献１】特開２０１４−２２９２９２号公報
【発明の概要】
【発明が解決しようとする課題】
【０００４】
しかしながら、死後にメッセージを残したいという要望に加えて、故人を偲ぶのにふさわしい場、例えば、墓の前で、メッセージを伝えたいという要望もある。また、メッセージを残す相手に、継続的に墓参りして欲しいという要望もある。
一方、墓においてメッセージを伝えるために、墓にメッセージ表示装置を取り付けたり併設したりすると、墓という神聖な場にそぐわないという問題もある。また、墓は野外にあることが多いため、風雨によって上記メッセージ表示装置が劣化することも考えられる。
【０００５】
以上に鑑みて、本発明は、当該表示装置を墓に取り付けたり併設したりすることなく、墓参者にメッセージを伝えると共に、メッセージを残す相手に墓参を促すメッセージ表示装置を提供することを目的とする。
【課題を解決するための手段】
【０００６】
本願に開示するメッセージ表示装置は、故人のメッセージをユーザの携帯端末に表示させるメッセージ表示装置であって、携帯端末から送信された墓石の画像情報と携帯端末の位置情報とを受信する通信部と、通信部が受信した墓石の画像情報と予め記憶された墓石の画像情報とが一致し、かつ、通信部が受信した携帯端末の位置情報と予め記憶された墓石の位置情報とが一致する場合に、予め記憶された墓石の画像情報と予め記憶された墓石の位置情報とに対応付けられ故人を識別する故人識別情報を特定する故人特定部と、故人特定部が特定した故人識別情報に対応付けられ予め記憶された第１のメッセージを携帯端末に出力して表示させる第１のメッセージ出力部と、第１のメッセージを閲覧可能な期間を示し予め記憶された閲覧可能期間情報に基づいて、閲覧可能な期間の経過後は、携帯端末において第１のメッセージが所定の期間閲覧できないように制御し、所定の期間経過後に通信部が墓石の画像情報と携帯端末の位置情報とを受信すると、第１のメッセージが閲覧できるように制御する閲覧制御部と、上記所定の期間経過後に通信部が墓石の画像情報と携帯端末の位置情報とを受信すると、故人特定部が特定した故人識別情報に対応付けられ予め記憶された第２のメッセージを携帯端末に出力して表示させる第２のメッセージ出力部とを備える。
【発明の効果】
【０００７】
本願に開示するメッセージ表示装置によれば、当該表示装置を墓に取り付けたり併設したりすることなく、墓参者にメッセージを伝えると共に、メッセージを残す相手に墓参を促すことができる。
【図面の簡単な説明】
【０００８】
【図１】第１の実施形態に係るメッセージ表示装置の機能ブロック図である。
【図２】第１の実施形態に係る故人情報記憶部とメッセージ記憶部と期間情報記憶部のデータ構成図である。
【図３】（ａ）墓石の正面図である。（ｂ）携帯端末で撮影された墓石の撮像画像を示す説明図である。（ｃ）携帯端末に表示された第１のメッセージを示す説明図である。
【図４】第１の実施形態における各期間を示す説明図である。
【図５】第１の実施形態に係るユーザ情報記憶部とメッセージ出力情報記憶部と宛先識別情報記憶部のデータ構成図である。
【図６】第１の実施形態に係るメッセージ表示装置の動作を示すフローチャートである。
【図７】第１の実施形態に係るメッセージ表示装置の動作を示すフローチャートである。
【図８】第１の実施形態に係るメッセージ表示装置の動作を示すフローチャートである。
【図９】第２の実施形態に係るメッセージ表示装置の機能ブロック図である。
【図１０】第２の実施形態に係る予告メッセージ記憶部のデータ構成図である。
【図１１】第２の実施形態に係るメッセージ表示装置の動作を示すフローチャートである。
【図１２】第３の実施形態に係るメッセージ表示装置の機能ブロック図である。
【図１３】第３の実施形態に係る墓参履歴情報記憶部のデータ構成図である。
【図１４】第３の実施形態に係るメッセージ表示装置の動作を示すフローチャートである。
【図１５】第４の実施形態に係るメッセージ表示装置の機能ブロック図である。
【図１６】第４の実施形態に係るユーザ情報記憶部のデータ構成図である。
【図１７】第４の実施形態に係るメッセージ表示装置の動作を示すフローチャートである。
【発明を実施するための形態】
【０００９】
［第１の実施形態］
以下、本発明の実施の形態を添付の図により説明する。
図１は、第１の実施形態に係るメッセージ表示装置１の機能ブロック図である。メッセージ表示装置１は、例えば、サーバとして機能するコンピュータによって実現される。メッセージ表示装置１は、通信ネットワーク２を介して、ユーザの携帯端末３と通信可能に構成されている。
また、メッセージ表示装置１は、各種の情報を記憶する記憶部５と、装置全体を制御する制御部６と、通信を行う通信部７と、入力手段を介して外部からの入力を受け付ける入力部８とを備えている。
【００１０】
記憶部５は、例えば、ハードディスク、メインメモリ、フラッシュメモリ、その他の各種メモリ等の記憶手段によって実現され、各種のプログラム、各種のデータ等を記憶する。
記憶部５は、故人に関する情報を記憶する故人情報記憶部１１と、メッセージ記憶部１２と、各種の期間に関する情報を記憶する期間情報記憶部１４と、ユーザに関する情報を記憶するユーザ情報記憶部１５とを備えている。また、記憶部５は、各種のメッセージの出力に関する情報を記憶するメッセージ出力情報記憶部１７と、メッセージの宛先に関する情報を記憶する宛先識別情報記憶部１８とを備えている。
図２に示すように、故人情報記憶部１１は、故人を識別する故人識別情報を記憶している。故人識別情報は、例えば、故人を識別する故人ＩＤ５１であり、数字、文字、記号等によって構成されている。なお、以下の説明において、「ＩＤ」の語を含む他の識別情報も、同様に、数字、文字、記号等によって構成されている。
また、故人情報記憶部１１は、故人名５２として、故人の姓名（例えば、「山田太郎」）を記憶している。
【００１１】
加えて、故人情報記憶部１１は、墓石の画像情報５４と墓石の位置情報５５を記憶している。ここで、上記墓石は故人ＩＤ５１によって識別される故人の墓石である。
本実施形態において、墓石の画像情報５４は、墓石を撮影して取得した撮影画像のデータである。墓石の画像情報５４として用いる画像は、例えば、図３（ａ）に示すように墓石６０を正面視した撮影画像であり、墓石６０に刻まれた文字６０ａや家紋６０ｂ、墓石６０の輪郭６０ｃ等、墓石６０を他の墓石６０から識別しやすい特徴が含まれるように撮影された画像であることが望ましい。
なお、墓石６０の画像情報５４は、墓石６０の撮影画像のデータから、画像マッチングのための特徴点の情報を抽出したデータであってもよい。墓石の位置情報５５は、墓石６０の位置を示す情報であり、例えば、ＧＰＳ（Ｇｌｏｂａｌ  Ｐｏｓｉｔｉｏｎｉｎｇ  Ｓｙｓｔｅｍ）によって特定される位置情報である。
【００１２】
メッセージ記憶部１２は、故人が生前に遺したメッセージを記憶している。図２に示すように、本実施形態では、第１のメッセージ７２と、第２のメッセージ７４と、第３のメッセージ７７と、不特定人向けメッセージ７９とが、それぞれ動画で記憶されている。これらの動画は、例えば、図３（ｃ）に示すように、メッセージを語る生前の故人６７を撮影した動画である。
本実施形態では、第１のメッセージ７２と、第２のメッセージ７４と、第３のメッセージ７７は、特定のユーザに向けたメッセージであり、不特定人向けメッセージ７９は、不特定のユーザに向けたメッセージである。
この不特定人向けメッセージ７９は、例えば、「ようこそお参りくださいました」等の一般的なメッセージを語る故人６７の動画であってもよいし、遺された複数の人々への個人的なメッセージを語る故人６７の動画であってもよい。
【００１３】
また、各メッセージを識別するメッセージＩＤが、メッセージ識別情報として記憶されている。本実施形態では、メッセージ記憶部１２は、第１のメッセージ７２に対応付けられて第１のメッセージ７２を識別する第１のメッセージＩＤ７１と、第１のメッセージ７２に対応付けられて第２のメッセージ７４を識別する第２のメッセージＩＤ７３と、第３のメッセージ７７に対応付けられて第３のメッセージ７７を識別する第３のメッセージＩＤ７６と、不特定人向けメッセージ７９に対応付けられて不特定人向けメッセージ７９を識別する不特定人向けメッセージＩＤ７８とを記憶している。メッセージ記憶部１２に格納された各種のメッセージ及びメッセージＩＤは、どの故人６７のメッセージであるかを識別するために、故人ＩＤ（故人識別情報）５１に対応付けられている。
【００１４】
期間情報記憶部１４は、各種メッセージの配信又は閲覧に関する期間の情報を記憶している。図４に示すように、本実施形態では、故人６７の命日を基準に各種の期間を設定している。故人６７からの各種のメッセージは墓参時に、携帯端末３に配信される。第１の墓参期間は、第１の配信期間である。第１の配信期間は、第１のメッセージ７２が配信される期間である。第２の墓参期間は、第２の配信期間である。第２の配信期間は、第２のメッセージ７４が配信される期間である。第３の墓参期間は、第３の配信期間である。第３の配信期間は、第３のメッセージ７７が配信される期間である。
【００１５】
第１の閲覧可能期間は、第１のメッセージ７２が閲覧可能な期間である。本実施形態では、第１のメッセージ７２が携帯端末３に最初に出力された時点から所定の期間である。第１のメッセージ非表示期間は、第１のメッセージ７２が表示されない期間、すなわち、第１のメッセージ７２が閲覧できない期間である。この例では、第１のメッセージ非表示期間は、第１の閲覧可能期間が終了する時点から第２の墓参期間が開始する時点までの期間である。すなわち、第１の非表示期間は、第１のメッセージ７２が閲覧可能な期間の経過後の期間を示している。
【００１６】
第２の閲覧可能期間は、第２のメッセージ７４が閲覧可能な期間である。本実施形態では、第２のメッセージ７４が携帯端末３に最初に出力された時点から所定の期間である。第２のメッセージ非表示期間は、第２のメッセージ７４が表示されない期間、すなわち、第２のメッセージ７４が閲覧できない期間である。この例では、第２のメッセージ非表示期間は、第２の閲覧可能期間が終了する時点から第３の墓参期間が開始する時点までの期間である。すなわち、第２の非表示期間は、第２のメッセージ７４が閲覧可能な期間の経過後の期間を示している。
【００１７】
期間情報記憶部１４は、図２に示すように、故人６７の命日を示す命日情報８２と、第１の墓参期間を示す第１の墓参期間情報８３と、第１の閲覧可能期間を示す第１の閲覧可能期間情報８４と、第１の非表示期間を示す第１の非表示期間情報８５とを記憶している。また、期間情報記憶部１４は、第２の墓参期間を示す第２の墓参期間情報８６と、第２の閲覧可能期間を示す第２の閲覧可能期間情報８７と、第２の非表示期間を示す第２の非表示期間情報８８と、第３の墓参期間を示す第３の墓参期間情報８９を記憶している。命日情報８２は、例えば、故人６７が亡くなった年月日の情報として記憶される。上記の各種の期間情報は、例えば、期間の開始時点と期間の終了時点を示す年月日及び時刻のデータとして記憶される。命日情報８２及び上記各種の期間情報は、故人ＩＤ（故人識別情報）５１に対応付けられている。
【００１８】
図５に示すように、ユーザ情報記憶部１５は、ユーザを識別するユーザ識別情報を記憶している。ユーザ識別情報は、例えば、ユーザを識別するユーザＩＤ９１である。また、ユーザ情報記憶部１５は、ユーザ名９３として、ユーザの姓名（例えば、「山田花子」）を記憶している。ユーザＩＤ（ユーザ識別情報）９１は故人ＩＤ５１に対応付けられている。
【００１９】
メッセージ出力情報記憶部１７は、各種のメッセージが携帯端末３に出力されたかどうかを示す情報を記憶する。本実施形態においては、各種のメッセージが最初に出力された年月日及び時刻を記憶する。年月日及び時刻が記憶されていないメッセージは、携帯端末３に出力されていないことになる。この場合、年月日及び時刻が記憶されないことによって、メッセージの未出力を示してもよいし、未出力を示す他のデータを記憶してもよい。
第１のメッセージ出力情報１０２によって示される時点は、図４に示す第１のメッセージ７２の最初の出力時であり、第２のメッセージ出力情報１０３によって示される時点は、第２のメッセージ７４の最初の出力時である。
【００２０】
宛先識別情報記憶部１８は、各種メッセージの宛先人を示す宛先識別情報を記憶している。宛先人とは、メッセージの受取人として故人６７が指定した人物であり、ユーザＩＤ９１によって特定される。本実施形態においては、宛先識別情報記憶部１８は、第１のメッセージ７２の宛先識別情報１１１と、第２のメッセージ７４の宛先識別情報１１２と、第３のメッセージ７７の宛先識別情報１１３を記憶している。宛先識別情報記憶部１８は、それぞれの宛先識別情報として、宛先人であるユーザを特定するユーザＩＤ９１を記憶している。
本実施形態では、第１のメッセージ７２と第２のメッセージ７４と第３のメッセージの宛先人は同一人であることを想定している。したがって、宛先識別情報１１１，１１２，１１３として記憶されているユーザＩＤ９１は同一のユーザＩＤ９１である。
【００２１】
制御部６（図１）は、例えば、プロセッサ、ＣＰＵ等の演算手段によって実現され、各種のメモリ、ハードディスク等の記憶手段と協働して機能し、各種のプログラムを実行する。
制御部６は、メイン制御部２１と、墓石６０の画像情報５４及び位置情報５５に関する判定を行う墓石情報判定部２２と、故人ＩＤ（故人識別情報）５１を特定する故人特定部２３と、予め記憶されたユーザＩＤ（ユーザ識別情報）９１と通信部７が受信したユーザＩＤ９１とが一致するかを判定するユーザ判定部２５と、各種の期間を判定する期間判定部２６と、上記各種のメッセージの宛先人を判定する宛先判定部２７とを備えている。
また、制御部６は、第１のメッセージ７２を携帯端末３に出力する第１のメッセージ出力部２９と、第１のメッセージ７２の閲覧と第２のメッセージ７４の閲覧を制御する閲覧制御部３１と、第２のメッセージ７４を携帯端末３に出力する第２のメッセージ出力部３２と、第３のメッセージ７７を携帯端末３に出力する第３のメッセージ出力部３３と、不特定人向けメッセージ７９を携帯端末３に出力する不特定人向けメッセージ出力部３４とを備えている。
【００２２】
メイン制御部２１は、各種のプログラムを実行して、各種構成部間の制御及び装置全体の制御を実行する。
墓石情報判定部２２は、通信部７が受信した墓石６０の画像情報と、故人情報記憶部１１に予め記憶された墓石６０の画像情報５４とが一致するかを判定する。なお、この例では、通信部７が受信する墓石６０の画像情報は、図３（ｂ）に示すように、ユーザの墓参時に携帯端末３が撮影した墓石６０の撮影画像６２の画像データである。
また、墓石情報判定部２２は、通信部７が受信した携帯端末３の位置情報と、故人情報記憶部１１に予め記憶された墓石６０の位置情報５５とが一致するかを判定する。
故人特定部２３は、通信部７が受信した墓石６０の画像情報（撮影画像６２）と予め記憶された墓石６０の画像情報５４とが一致すると墓石情報判定部２２が判定し、かつ、通信部７が受信した携帯端末３の位置情報と予め記憶された墓石６０の位置情報５５とが一致すると墓石情報判定部２２が判定した場合には、墓石６０の画像情報５４と墓石６０の位置情報５５とに対応付けられた故人ＩＤ５１を特定する。
【００２３】
ユーザ判定部２５は、ユーザ情報記憶部１５に予め記憶されたユーザＩＤ９１と、通信部７が受信したユーザＩＤ９１が一致するかを判定する。
期間判定部２６は、期間情報記憶部１４に記憶された各種の期間情報に基づいて、通信部７が墓石６０の画像情報（撮影画像６２）と携帯端末３の位置情報とユーザＩＤ９１とを受信した受信時（以下、「通信部受信時」という。）がどの期間に該当するのかを判定する。
宛先判定部２７は、通信部７が受信したユーザＩＤ９１と、宛先識別情報記憶部１８に予め記憶された宛先識別情報１１１とを比較して、ユーザＩＤ９１と宛先識別情報１１１が一致するかを判定する。
第１のメッセージ出力部２９は、上記通信部受信時が第１の墓参期間（第１の配信期間）内であると期間判定部２６が判定した場合には、第１のメッセージ７２を携帯端末３に出力して表示させる。
【００２４】
閲覧制御部３１は、第１の閲覧可能期間情報８４に基づいて、第１の閲覧可能期間の経過後は、携帯端末３において、第１のメッセージ７２が所定の期間閲覧できないように制御し、所定の期間経過後に、通信部７が墓石６０の画像情報（撮影画像６２）と携帯端末３の位置情報とを受信すると、第１のメッセージ７２が閲覧できるように制御する。なお、第１のメッセージ７２が閲覧できない所定の期間は、本実施形態では、第１の非表示期間情報８５によって示される第１の非表示期間である。
また、閲覧制御部３１は、第２の閲覧可能期間情報８７に基づいて、第２の閲覧可能期間の経過後は、携帯端末３において、第２のメッセージ７４が所定の期間閲覧できないように制御し、所定の期間経過後に、通信部７が墓石６０の画像情報（撮影画像６２）と携帯端末３の位置情報とを受信すると、第２のメッセージ７４が閲覧できるように制御する。なお、第２のメッセージ７４が閲覧できない所定の期間は、本実施形態では、第２の非表示期間情報８８によって示される第２の非表示期間である。
【００２５】
第２のメッセージ出力部３２は、上記通信部受信時が第２の墓参期間（第２の配信期間）内であると期間判定部２６が判定した場合には、第２のメッセージ７４を携帯端末３に出力して表示させる。
第３のメッセージ出力部３３は、上記通信部受信時が第３の墓参期間（第３の配信期間）内であると期間判定部２６が判定した場合には、第３のメッセージ７７を携帯端末３に出力して表示させる。
不特定人向けメッセージ出力部３４は、不特定人向けメッセージ７９を携帯端末３に出力して表示させる。
【００２６】
通信部７（図１）は、通信ネットワーク２を介して、携帯端末３に各種のデータ、情報等を送信し、携帯端末３から各種のデータ、情報等を受信する。
入力部８は、キーボード、マウス等の各種入力手段によって、外部からのデータ等をメッセージ表示装置１に入力する。
また、メッセージ表示装置１は、ハードウェアクロック、システムクロック等の時刻情報提供手段を備えており、現在時刻、その他の各種時刻が取得できるように構成されている。
【００２７】
携帯端末３は、例えば、スマートフォン、携帯電話、タブレット型コンピュータ、その他のコンピュータ等の携帯可能な端末である。携帯端末３は、撮像部４１と、表示部４２と、位置検出部４３と、操作部４５と、端末制御部４６と、端末通信部４７と、端末記憶部４９とを備えている。撮像部４１は、撮像機能を有するカメラ部である。表示部４２は、液晶ディスプレイ、有機ＥＬディスプレイ等の表示画面を備え、表示画面に各種の動画、画像、データ、情報等を表示する。位置検出部４３は、ＧＰＳ機能を有し、携帯端末３の現在位置情報を取得する。
【００２８】
操作部４５は、例えば、キーボード、マウス、タッチパッド又はボタンなどから構成され、各種情報やユーザからの指示を携帯端末３に入力する。端末制御部４６は、各種のプログラムを実行して、携帯端末３における各種構成部間の制御及び携帯端末３全体の制御を実行する。
端末通信部４７は、通信ネットワーク２を介して、メッセージ表示装置１に各種のデータ、情報等を送信し、メッセージ表示装置１から各種のデータ、情報等を受信する。
端末記憶部４９は、例えば、メインメモリ、フラッシュメモリ、本体ストレージ、その他の各種メモリ等の記憶手段によって実現され、各種のプログラム、各種のデータ等を記憶する。
【００２９】
次に、メッセージ表示装置１の動作について説明する。
＜事前登録の処理＞
まず、故人６７の生前に行う事前登録の処理について説明する。なお、この例では、生前の故人又はユーザが、携帯端末又はその他のコンピュータを用いて、メッセージ表示装置１に各種のメッセージ及びその他の情報を登録しておくことを想定している。生前の故人又はユーザの入力に応じて、上記携帯端末又はその他のコンピュータ（以下、「事前登録用端末」という。）は、各種のメッセージ及びその他の情報をメッセージ表示装置１に送信する。
事前登録の処理において、通信部７は、故人名５２と、墓石６０の画像情報５４と、墓石６０の位置情報５５を上記事前登録用端末から受信し、メッセージ表示装置１に入力する。メイン制御部２１は、通信部７が受信した故人名５２と、墓石の画像情報５４と、墓石の位置情報５５を故人情報記憶部１１に記憶する。また、メイン制御部２１は、故人６７を一意に識別する故人ＩＤ（故人識別情報）５１を当該故人に割り当て、故人ＩＤ５１を故人情報記憶部１１に記憶する。
【００３０】
また、通信部７は、故人６７が遺された人に向けて生前に残した各種のメッセージを上記事前登録用端末から受信し、メッセージ表示装置１に入力する。本実施形態では、第１のメッセージ７２と、第２のメッセージ７４と、第３のメッセージ７７と、不特定人向けメッセージ７９とがメッセージ表示装置１に入力される。メイン制御部２１は、通信部７が受信した第１のメッセージ７２と、第２のメッセージ７４と、第３のメッセージ７７と、不特定人向けメッセージ７９とをメッセージ記憶部１２に記憶する。また、メイン制御部２１は、各種のメッセージを一意に識別するメッセージＩＤ（メッセージ識別情報）を各メッセージに割り当て、各メッセージＩＤをメッセージ記憶部１２に記憶する。この例では、第１のメッセージ７２を識別する第１のメッセージＩＤ７１と、第２のメッセージ７４を識別する第２のメッセージＩＤ７３と、第３のメッセージ７７を識別する第３のメッセージＩＤ７６と、不特定人向けメッセージ７９を識別する不特定人向けメッセージＩＤ７８とがメッセージ記憶部１２に記憶される。
【００３１】
加えて、通信部７は、第１の墓参期間と、第１の閲覧可能期間と、第２の墓参期間と、第２の閲覧可能期間と、第３の墓参期間についての期間設定情報（不図示）を上記事前登録用端末から受信し、メッセージ表示装置１に入力する。期間設定情報は、各期間の長さ及び基準日に関する情報である。本実施形態では、一例として、第１の墓参期間の期間設定情報は、「４９日の前後１ヶ月」であり、第１の閲覧可能期間の期間設定情報は、「第１のメッセージの最初の出力時から１ヶ月」であり、第２の墓参期間の期間設定情報は、「一周忌の前後１ヶ月」であり、第２の閲覧可能期間の期間設定情報は、「第２のメッセージの最初の出力時から１ヶ月」であり、第３の墓参期間の期間設定情報は、「三回忌の前後１ヶ月」である。
メイン制御部２１は通信部７が受信した期間設定情報を期間情報記憶部１４に記憶する。これらの期間設定情報は、生前の故人６７の意向に応じて設定される。
【００３２】
また、故人６７が亡くなった後に、通信部７は、命日情報８２を上記事前登録用端末から受信し、メッセージ表示装置１に入力する。メイン制御部２１は、通信部７が受信した命日情報８２を期間情報記憶部１４に記憶する。上記に例示した期間設定情報によれば、命日情報８２が入力されると、命日を基準として設定された第１の墓参期間と、第２の墓参期間と、第３の墓参期間の具体的な期間が決定する。メイン制御部２１は、期間設定情報と命日情報８２に基づいて、第１の墓参期間情報８３と、第２の墓参期間情報８６と、第３の墓参期間情報８９を算出して、期間情報記憶部１４に記憶する。
【００３３】
前述のように、第１の閲覧可能期間の開始時を第１のメッセージの最初の出力時としている場合、第１のメッセージの最初の出力時が決定するまでの間、初期設定として、メイン制御部２１が第１の墓参期間の終了時を第１の閲覧可能期間の開始時に設定する。同様に、第２の閲覧可能期間の開始時を第２のメッセージの最初の出力時としている場合、第２のメッセージの最初の出力時が決定するまでの間、初期設定として、メイン制御部２１が第２の墓参期間の終了時を第２の閲覧可能期間の開始時に設定する。
メイン制御部２１は、第１の墓参期間情報８３と第２の墓参期間情報８６に基づいて、第１の閲覧可能期間情報８４と、第２の閲覧可能期間情報８７の上記初期設定の期間を算出して、期間情報記憶部１４に記憶する。
【００３４】
本実施形態において、第１の非表示期間は、第１の閲覧可能期間の終了時から第２の墓参期間の開始時までの間の期間に設定される。また、第２の非表示期間は、第２の閲覧可能期間の終了時から第３の墓参期間の開始時までの間の期間に設定される。メイン制御部２１は、上記の算出した第１の墓参期間情報８３と、第１の閲覧可能期間情報８４と、第２の墓参期間情報８６と、第２の閲覧可能期間情報８７と、第３の墓参期間情報８９に基づいて、第１の非表示期間情報８５と、第２の非表示期間情報８８とを算出して、期間情報記憶部１４に記憶する。
【００３５】
また、通信部７は、ユーザ名９３を上記事前登録用端末から受信し、メッセージ表示装置１に入力する。ユーザ名９３は、例えば、故人６７が墓参してほしいユーザ又はメッセージを遺したいユーザの名であり、生前の故人６７の意向に応じて設定される。メイン制御部２１は、ユーザ名９３をユーザ情報記憶部１５に記憶する。加えて、メイン制御部２１は、ユーザを一意に識別するユーザＩＤ９１を当該ユーザに割り当て、ユーザＩＤ９１をユーザ情報記憶部１５に記憶する。なお、１個の故人ＩＤ５１に対応付けられるユーザＩＤ９１は、１個であっても複数であってもよい。
【００３６】
ユーザＩＤ９１がユーザ情報記憶部１５に記憶されると、メイン制御部２１は、ユーザ名９３に対応するユーザＩＤ９１を上記事前登録用端末に出力して表示させる。このようにして発行されたユーザＩＤ９１は、事前登録処理を行った生前の故人又はユーザによって事前に各ユーザに配布される。
ユーザＩＤ９１を受け取った各ユーザは、故人のメッセージを受信するためにメッセージ表示装置１と通信する携帯端末３をユーザＩＤ９１を用いてメッセージ表示装置１に認証させておく。例えば、メッセージ表示装置１との各種データの送受信を実行する専用のアプリケーションソフトウェアを端末記憶部４９にインストールし、インストールしたアプリケーションソフトウェアを介して、携帯端末３をメッセージ表示装置１に認証させたり、メッセージ表示装置１からの通知等を受信したりできるように構成してもよい。
また、メッセージ表示装置１と通信する携帯端末３の電話番号やプッシュ通知等の通信に必要な各種情報等（不図示）を予めメッセージ表示装置１のユーザ情報記憶部１５に記憶しておいてもよい。このとき、携帯端末３又は他の端末から通信部７が受信した携帯端末３の電話番号や各種情報等を、メイン制御部２１がユーザ情報記憶部１５に記憶するように構成してもよい。
【００３７】
さらに、通信部７は、第１のメッセージ７２と第２のメッセージ７４と第３のメッセージ７７の宛先人を示すユーザ名９３を上記事前登録用端末から受信し、メッセージ表示装置１に入力する。メイン制御部２１は、通信部７が受信したユーザ名９３を識別するユーザＩＤ９１を宛先識別情報１１１，１１２，１１３として宛先識別情報記憶部１８に記憶する。前述のように、本実施形態では、第１のメッセージ７２と第２のメッセージ７４と第３のメッセージ７７の宛先人は同一人であるため、同一のユーザＩＤ９１が入力される。
なお、メッセージ表示装置１に入力される上記の各種データは、入力部８を介して入力されてもよいし、メッセージ表示装置１の管理者によって入力されてもよい。
【００３８】
＜墓参時の処理＞
次に、ユーザの墓参時におけるメッセージ表示装置１の処理について説明する。墓参時の処理の流れを示すフローチャートを図６及び図７に示す。図３（ｂ）に示すように、墓参したユーザは、故人６７の墓石６０を正面から携帯端末３で撮影する。すなわち、携帯端末３の撮像部４１が墓石６０を撮影し、墓石６０の撮影画像６２を墓石６０の画像情報として取得する（ステップ１）。また、携帯端末３の位置検出部４３が、当該携帯端末３の現在の位置を示す位置情報を取得する。
【００３９】
次いで、操作部４５を介したユーザの操作に応じて、ステップ１において取得した墓石６０の画像情報と位置検出部４３によって取得した携帯端末３の上記位置情報とユーザＩＤ９１とを端末通信部４７がメッセージ表示装置１に送信する（ステップ２）。本実施形態では、墓石６０の画像情報として、撮影画像６２の画像データを送信している。また、ユーザは墓石６０の前で、携帯端末３によって墓石６０を撮影しているため、携帯端末３の上記位置情報は、墓石６０の位置を示すことになる。ユーザＩＤ９１は前述のように、予めユーザに配布されている。
【００４０】
次いで、ステップ２において送信された墓石６０の画像情報（撮影画像６２）と携帯端末３の位置情報とユーザＩＤ９１とを通信部７が受信する（ステップ３）。
墓石情報判定部２２は、ステップ３において通信部７が受信した墓石６０の画像情報（撮影画像６２）と携帯端末３の位置情報が、予め記憶された墓石６０の画像情報５４と位置情報５５に一致するかを判定する（ステップ４）。
ステップ４において、墓石情報判定部２２は、故人情報記憶部１１に予め記憶された墓石６０の画像情報５４を読み出し、読み出した画像情報５４と、通信部７が受信した墓石６０の画像情報（撮影画像６２）が一致するかを判定する。画像情報の一致の判定は、例えば、画像の特徴点の情報を用いた画像マッチングによって行う。
図３（ｂ）の撮影画像６２において、小さい複数の丸によって示した箇所は、画像マッチングのための特徴点６４である。なお、特徴点６４は、説明のために図示したものであり、表示部４２には表示されない。
特徴点６４は、一例として、画像において階調変化の強い箇所であるエッジやコーナーから抽出される。例えば、墓石６０に刻まれた文字６０ａや家紋６０ｂ、墓石６０の輪郭６０ｃにおいて、特徴点６４が抽出されやすい。
【００４１】
墓石情報判定部２２は、故人情報記憶部１１から読み出した画像情報５４と、通信部７が受信した画像情報（撮影画像６２）から、それぞれ、画像の特徴点６４を抽出し、両画像の特徴点６４の情報を比較することによって、故人情報記憶部１１から読み出した画像情報５４と、通信部７が受信した画像情報（撮影画像６２）とが一致するかを判定する。なお、ここでの一致とは、許容可能な誤差を含むものである。
また、本実施形態では、墓石情報判定部２２が、通信部７が受信した画像情報（撮影画像６２）から画像の特徴点６４を抽出しているが、端末制御部４６によって、撮影画像６２から予め特徴点６４を抽出しておいてもよい。この場合、端末通信部４７は、抽出した画像の特徴点６４の情報を墓石６０の画像情報として、メッセージ表示装置１に送信してもよい。また、前述のように、故人情報記憶部１１に記憶した墓石６０の画像情報５４は、墓石６０を撮影した墓石６０の画像データから、画像マッチングのための特徴点６４の情報を抽出したデータであってもよい。したがって、墓石情報判定部２２は、通信部７が受信した画像の特徴点６４の情報と、故人情報記憶部１１に予め記憶された画像の特徴点６４の情報を比較して、両者の一致を判定してもよい。
【００４２】
また、ステップ４において、墓石情報判定部２２は、故人情報記憶部１１に予め記憶された墓石６０の位置情報５５を読み出し、読み出した位置情報５５と、通信部７が受信した携帯端末３の位置情報が一致するかを判定する。なお、ここでの一致とは許容可能な誤差を含むものである。例えば、ＧＰＳを用いて位置情報を取得している場合、ＧＰＳの精度を考慮して、ある程度の幅の誤差（一例として、約１０ｍ）を許容するように設定しておく。
【００４３】
ステップ４において、通信部７が受信した墓石６０の画像情報（撮影画像６２）と予め記憶された墓石６０の画像情報５４とが一致すると墓石情報判定部２２が判定し、かつ、通信部７が受信した携帯端末３の位置情報と予め記憶された墓石６０の位置情報５５とが一致すると墓石情報判定部２２が判定した場合には、故人特定部２３が、予め記憶された墓石６０の画像情報５４と、予め記憶された墓石６０の位置情報５５とに対応付けられた故人ＩＤ（故人識別情報）５１を特定する（ステップ５）。
故人特定部２３は、故人情報記憶部１１に記憶された故人ＩＤ５１から、上記一致すると判定された墓石６０の画像情報５４と墓石６０の位置情報５５とに対応付けられた故人ＩＤ５１を抽出して、故人ＩＤ５１を特定する。したがって、携帯端末３によって撮影された墓石６０がどの故人６７の墓石６０であるかが特定されることになる。
墓石６０の画像情報５４と墓石６０の位置情報５５との少なくとも一方が一致しないと墓石情報判定部２２が判定した場合には、上記故人ＩＤ５１は抽出されず、故人ＩＤ５１は特定されない。
【００４４】
ステップ５において、故人特定部２３が故人ＩＤ５１を特定すると、ユーザ判定部２５は、特定された故人ＩＤ５１に対応付けられたユーザＩＤ（ユーザ識別情報）９１と、通信部７が受信したユーザＩＤ９１とが一致するかを判定する（ステップ６）。故人ＩＤ５１に対応付けられたユーザＩＤ９１と通信部７が受信したユーザＩＤ９１とが一致しないとユーザ判定部２５が判定した場合には、ステップ７以降の処理は実行されない。なお、通信部７が受信したユーザＩＤ９１が一致しない場合とは、通信部７がユーザＩＤ９１を受信しておらず、比較対象のユーザＩＤがない場合も含む。
ステップ６において、故人ＩＤ５１に対応付けられたユーザＩＤ９１と通信部７が受信したユーザＩＤとが一致するとユーザ判定部２５が判定した場合には、宛先判定部２７が、宛先識別情報１１１と、ステップ３において通信部７が受信したユーザＩＤとが一致するかを判定する（ステップ７）。
【００４５】
宛先判定部２７は、宛先識別情報記憶部１８から第１の宛先識別情報１１１を読み出し、宛先識別情報１１１が示すユーザＩＤ９１と、通信部７が受信したユーザＩＤ９１が一致するかを判定する。一致した場合には、通信部７が受信したユーザＩＤ９１によって識別されるユーザが第１のメッセージの宛先人であると宛先判定部２７によって判定されたことになる。
なお、本実施形態では、第１のメッセージ７２と第２のメッセージ７４と第３のメッセージ７７の宛先人は同一人であるため、ユーザが第１のメッセージ７２の宛先人であると宛先判定部２７が判定した場合には、第２のメッセージ７４の宛先人と第３のメッセージ７７の宛先人も当該ユーザであると判定されたことになる。
【００４６】
ステップ７において、宛先識別情報１１１が示すユーザＩＤ９１と、通信部７が受信したユーザＩＤ９１とが一致すると宛先判定部２７が判定した場合には、期間判定部２６が、通信部７が墓石６０の画像情報（撮影画像６２）と携帯端末３の位置情報とユーザＩＤ９１とを受信した受信時（通信部受信時）が、第１の墓参期間であるかを判定する（ステップ８）。期間判定部２６は、期間情報記憶部１４から第１の墓参期間情報８３を読みだし、通信部受信時が第１の墓参期間情報８３によって示される第１の配信期間内であるかを判定する。
【００４７】
ステップ８において、通信部受信時が第１の墓参期間内であると期間判定部２６が判定した場合には、第１のメッセージ出力部２９が、第１のメッセージ７２を携帯端末３に出力して表示させる（ステップ９）。ここで、第１のメッセージ出力部２９は、メッセージ記憶部１２から第１のメッセージ７２を読み出し、読み出した第１のメッセージ７２を通信部７を介して携帯端末３に出力し、図３（ｃ）に示すように、表示部４２の表示画面に表示させる。
なお、第１のメッセージ７２、第２のメッセージ７４、第３のメッセージ７７等の各種メッセージの出力方式は、携帯端末３に出力された各種メッセージが携帯端末３に保存されないストリーミング配信であってもよいし、携帯端末３に出力された各種メッセージが携帯端末３に保存されるダウンロード配信であってもよい。本実施形態では、上記ストリーミング配信の場合を例に挙げて説明する。
【００４８】
また、第１のメッセージ出力部２９は、第１のメッセージ７２を識別する第１のメッセージＩＤ７１も携帯端末３に出力する。端末制御部４６は、第１のメッセージＩＤ７１を端末記憶部４９に記憶する。
また、第１のメッセージ出力部２９が第１のメッセージ７２を最初に携帯端末３に出力したときには、第１のメッセージ７２が携帯端末３に最初に出力された時点を示す年月日及び時刻を、第１のメッセージ出力情報１０２としてメイン制御部２１がメッセージ出力情報記憶部１７に記憶する。
加えて、メイン制御部２１は、第１のメッセージ７２が携帯端末３に最初に出力された時点を示す年月日及び時刻を第１の閲覧可能期間の開始時に設定する。すなわち、メイン制御部２１は、期間情報記憶部１４に記憶された第１の閲覧可能期間情報８４によって示される第１の閲覧可能期間の開始時を第１のメッセージ７２の最初の出力時に書き換える。
【００４９】
なお、第１の墓参期間内に第１のメッセージ７２が一度も出力されなかった場合には、第１の閲覧可能期間の開始時は書き換えられずに初期設定のままである。また、第１の墓参期間内に第１のメッセージ７２が一度も出力されなかった場合には、メッセージ出力情報記憶部１７に第１のメッセージ出力情報１０２として年月日及び時刻が記憶されない。
第１のメッセージ出力部２９は、第１の墓参期間の間、第１のメッセージ７２を携帯端末３に出力して表示させることができる。第１の墓参期間の間に、少なくとも１回、第１のメッセージ７２が携帯端末３に出力されたということは、ユーザが第１の墓参期間に墓参して、第１のメッセージ７２を受け取ったことを意味している。
次いで、メイン制御部２１は、次回の墓参期間、すなわち、第２の墓参期間を携帯端末３に通知する（ステップ１９）。メイン制御部２１は、第２の墓参期間情報８６を期間情報記憶部１４から読み出し、第２の墓参期間を携帯端末３に出力して表示部４２の表示画面に表示させる。
【００５０】
次に、ステップ７に戻って説明する。ステップ７において、宛先識別情報１１１が示すユーザＩＤ９１と、通信部７が受信したユーザＩＤ９１とが一致しないと宛先判定部２７が判定した場合には、不特定人向けメッセージ出力部３４が、メッセージ記憶部１２から不特定人向けメッセージ７９を読み出し、読み出した不特定人向けメッセージ７９を携帯端末３に出力して表示部４２の表示画面に表示させる（ステップ１１）。
また、ステップ８において、通信部受信時が第１の墓参期間内ではないと期間判定部２６が判定した場合には、第１の墓参期間情報８３に基づいて、通信部受信時が第１の墓参期間の前であるかを期間判定部２６が判定する（ステップ１２）。
【００５１】
ステップ１２において、通信部受信時が第１の墓参期間の前であると期間判定部２６が判定した場合には、メイン制御部２１は、次回の墓参期間、すなわち、第１の墓参期間を携帯端末３に通知する（ステップ１４）。メイン制御部２１は、第１の墓参期間情報８３を期間情報記憶部１４から読み出し、第１の墓参期間を携帯端末３に出力して表示部４２の表示画面に表示させる。
ステップ１２において、通信部受信時が第１の墓参期間の前ではないと期間判定部２６が判定した場合には、期間判定部２６は、期間情報記憶部１４から第１の閲覧可能期間情報８４を読みだし、通信部受信時が第１の閲覧可能期間情報８４によって示される第１の閲覧可能期間内であるかを判定する（ステップ１５）。
【００５２】
ステップ１５において、通信部受信時が第１の閲覧可能期間情報８４によって示される第１の閲覧可能期間内であると期間判定部２６が判定した場合には、メイン制御部２１が、メッセージ出力情報記憶部１７から第１のメッセージ出力情報１０２を読み出し、第１のメッセージ７２が携帯端末３に配信済みであるかを判定する（ステップ１６）。本明細書の記載において、「配信済み」とは、第１のメッセージ７２が少なくとも１回は携帯端末３に出力されたことがあるということを意味している。
メイン制御部２１は、第１のメッセージ出力情報１０２として、第１のメッセージ７２が携帯端末３に最初に出力された時点を示す年月日及び時刻が記憶されている場合には、第１のメッセージ７２が配信済みであると判定する。一方、第１のメッセージ出力情報１０２として、第１のメッセージ７２が携帯端末３に最初に出力された時点を示す年月日及び時刻が記憶されていない場合には、メイン制御部２１は、第１のメッセージ７２が配信済みではないと判定する。
【００５３】
ステップ１６において、第１のメッセージ７２が配信済みであるとメイン制御部２１が判定した場合には、閲覧制御部３１は、第１のメッセージ７２を携帯端末３に表示させる（ステップ１８）。すなわち、ユーザの携帯端末３が第１の墓参期間に第１のメッセージ７２を受信している場合には、第１の閲覧可能期間において、上記ユーザは第１のメッセージ７２を閲覧することができる。
次いで、メイン制御部２１は、次回の墓参期間、すなわち、第２の墓参期間を携帯端末３に通知する（ステップ１９）。メイン制御部２１は、第２の墓参期間情報８６を期間情報記憶部１４から読み出し、第２の墓参期間を携帯端末３に出力して表示部４２の表示画面に表示させる。
また、ステップ１６において、第１のメッセージ７２が配信済みではないとメイン制御部２１が判定した場合には、ステップ１８の処理を行わずに、ステップ１９の処理に進む。すなわち、ユーザの携帯端末３が第１の墓参期間に第１のメッセージ７２を受信していない場合には、上記ユーザは、第１の墓参期間の経過後に、第１のメッセージ７２を閲覧することができなくなる。
【００５４】
次に、ステップ１５に戻って説明する。
ステップ１５において、通信部受信時が第１の閲覧可能期間情報８４によって示される第１の閲覧可能期間内ではないと期間判定部２６が判定した場合には、期間判定部２６は、期間情報記憶部１４から第１の非表示期間情報８５を読みだし、通信部受信時が第１の非表示期間情報８５によって示される第１の非表示期間内であるかを判定する（ステップ２０）。
ステップ２０において、通信部受信時が第１の非表示期間内であると期間判定部２６が判定した場合には、メイン制御部２１は、次回の墓参期間、すなわち、第２の墓参期間を携帯端末３に通知する（ステップ１４）。通信部受信時が第１の非表示期間内であると期間判定部２６が判定した場合には、第１のメッセージ７２が閲覧できないように閲覧制御部３１が制御する。第１の非表示期間において、第１のメッセージ７２は、携帯端末３に表示されない。
ステップ２０において、通信部受信時が第１の非表示期間内ではないと期間判定部２６が判定した場合には、期間判定部２６は、期間情報記憶部１４から第２の墓参期間情報８６を読みだし、通信部受信時が第２の墓参期間情報８６によって示される第２の墓参期間内であるかを判定する（ステップ２１）。
【００５５】
ステップ２１において、通信部受信時が第２の墓参期間内であると期間判定部２６が判定した場合には、第２のメッセージ出力部３２が、第２のメッセージ７４を携帯端末３に出力して表示させる（ステップ２３）。ここで、第２のメッセージ出力部３２は、メッセージ記憶部１２から第２のメッセージ７４を読み出し、読み出した第２のメッセージ７４を通信部７を介して携帯端末３に出力し、表示部４２の表示画面に表示させる。
また、第２のメッセージ出力部３２は、第２のメッセージ７４を識別する第２のメッセージＩＤ７３も携帯端末３に出力する。端末制御部４６は、第２のメッセージＩＤ７３を端末記憶部４９に記憶する。
【００５６】
また、第２のメッセージ出力部３２が第２のメッセージ７４を最初に携帯端末３に出力したときには、第２のメッセージ７４が携帯端末３に最初に出力された時点を示す年月日及び時刻を、第２のメッセージ出力情報１０３としてメッセージ出力情報記憶部１７にメイン制御部２１が記憶する。
加えて、メイン制御部２１は、第２のメッセージ７４が携帯端末３に最初に出力された時点を示す年月日及び時刻を、第２の閲覧可能期間の開始時に設定する。すなわち、メイン制御部２１は、期間情報記憶部１４に記憶された第２の閲覧可能期間情報８７によって示される第２の閲覧可能期間の開始時を第２のメッセージの最初の出力時に書き換える。
【００５７】
なお、第２の墓参期間内に第２のメッセージ７４が一度も出力されなかった場合には、第２の閲覧可能期間の開始時は書き換えられずに初期設定のままである。また、第２の墓参期間内に第２のメッセージ７４が一度も出力されなかった場合には、メッセージ出力情報記憶部１７に第２のメッセージ出力情報１０３として年月日及び時刻が記憶されない。
第２のメッセージ出力部３２は、第２の墓参期間の間、第２のメッセージ７４を携帯端末３に出力して表示させることができる。第２の墓参期間の間に、少なくとも１回、第２のメッセージ７４が携帯端末３に出力されたということは、ユーザが第２の墓参期間に墓参して、第２のメッセージ７４を受け取ったことを意味している。
【００５８】
ステップ２３において、第２のメッセージ出力部３２が、第２のメッセージ７４を出力すると、メイン制御部２１が、メッセージ出力情報記憶部１７から第１のメッセージ出力情報１０２を読み出し、第１のメッセージ７２が携帯端末３に配信済みであるかを判定する（ステップ２５）。
メイン制御部２１は、ステップ１６における処理と同様に、第１のメッセージ出力情報１０２として、第１のメッセージ７２が携帯端末３に最初に出力された時点を示す年月日及び時刻が記憶されている場合には、第１のメッセージ７２が配信済みであると判定する。一方、第１のメッセージ出力情報１０２として、第１のメッセージ７２が携帯端末３に最初に出力された時点を示す年月日及び時刻が記憶されていない場合には、メイン制御部２１は、１のメッセージが配信済みではないと判定する。
【００５９】
ステップ２５において、第１のメッセージ７２が配信済みであるとメイン制御部２１が判定した場合には、閲覧制御部３１は、第１のメッセージ７２が閲覧できるように制御する（ステップ２６）。前述のように、第１の非表示期間においては、閲覧制御部３１が、第１のメッセージ７２が閲覧できないように制御している。しかしながら、ステップ２６において、閲覧制御部３１は、その閲覧制限を解除し、第１のメッセージ７２を閲覧できるようにする。
本実施形態では、ステップ２６において閲覧制御部３１が第１のメッセージ７２を閲覧可能化すると、それ以降の期間において、第１のメッセージの閲覧は制限されない。
次いで、メイン制御部２１は、次回の墓参期間、すなわち、第３の墓参期間を携帯端末３に通知する（ステップ２７）。メイン制御部２１は、第３の墓参期間情報８９を期間情報記憶部１４から読み出し、第３の墓参期間を携帯端末３に出力して表示部４２の表示画面に表示させる。
【００６０】
また、ステップ２５において、第１のメッセージ７２が配信済みでないとメイン制御部２１が判定した場合には、ステップ２６の処理を行わずに、ステップ２７の処理に進む。
第２の墓参期間にステップ２６が実行されなかった場合には、閲覧制御部３１は第１のメッセージ７２の閲覧制限を解除しない。この場合、第１の非表示期間において、閲覧できないように制御された第１のメッセージ７２は、第１の非表示期間経過後の期間においても、閲覧できないままである。
【００６１】
次にステップ２１に戻って説明する。ステップ２１において、通信部受信時が第２の墓参期間内ではないと期間判定部２６が判定した場合には、期間判定部２６は、期間情報記憶部１４から第２の閲覧可能期間情報８７を読みだし、通信部受信時が第２の閲覧可能期間情報８７によって示される第２の閲覧可能期間内であるかを判定する（ステップ３０）。
【００６２】
ステップ３０において、通信部受信時が第２の閲覧可能期間内であると期間判定部２６が判定した場合には、メイン制御部２１が、メッセージ出力情報記憶部１７から第２のメッセージ出力情報１０３を読み出し、第２のメッセージ７４が携帯端末３に配信済みであるかを判定する（ステップ３１，図７）。
メイン制御部２１は、第２のメッセージ出力情報１０３として、第２のメッセージ７４が携帯端末３に最初に出力された時点を示す年月日及び時刻が記憶されている場合には、第２のメッセージ７４が配信済みであると判定する。一方、第２のメッセージ出力情報１０３として、第２のメッセージ７４が携帯端末３に最初に出力された時点を示す年月日及び時刻が記憶されていない場合には、メイン制御部２１は、第２のメッセージ７４が配信済みではないと判定する。
【００６３】
ステップ３１において、第２のメッセージ７４が配信済みであるとメイン制御部２１が判定した場合には、閲覧制御部３１は、第２のメッセージ７４を携帯端末３に表示させる（ステップ３３）。すなわち、ユーザの携帯端末３が第２の墓参期間に第２のメッセージ７４を受信している場合には、第２の閲覧可能期間において、上記ユーザは第２のメッセージ７４を閲覧することができる。
次いで、メイン制御部２１は、次回の墓参期間、すなわち、第３の墓参期間を携帯端末３に通知する（ステップ３４）。メイン制御部２１は、第３の墓参期間情報８９を期間情報記憶部１４から読み出し、第３の墓参期間を携帯端末３に出力して表示部４２の表示画面に表示させる。
【００６４】
また、ステップ３１において、第２のメッセージ７４が配信済みではないとメイン制御部２１が判定した場合には、ステップ３３の処理を行わずに、ステップ３４の処理に進む。すなわち、ユーザの携帯端末３が第２の墓参期間に第２のメッセージ７４を受信していない場合には、上記ユーザは、第２の墓参期間の経過後に、第２のメッセージ７４を閲覧することができなくなる。
【００６５】
次に、ステップ３０（図６）に戻って説明する。
ステップ３０において、通信部受信時が第２の閲覧可能期間情報８７によって示される第２の閲覧可能期間内ではないと期間判定部２６が判定した場合には、期間判定部２６は、期間情報記憶部１４から第２の非表示期間情報８８を読みだし、通信部受信時が第２の非表示期間情報８８によって示される第２の非表示期間内であるかを判定する（ステップ３６）。
【００６６】
ステップ３６において、通信部受信時が第２の非表示期間内であると期間判定部２６が判定した場合には、メイン制御部２１は、次回の墓参期間、すなわち、第３の墓参期間を携帯端末３に通知する（ステップ３４）。通信部受信時が第２の非表示期間内であると期間判定部２６が判定した場合には、第２のメッセージ７４が閲覧できないように閲覧制御部３１が制御する。第２の非表示期間において、第１のメッセージ７２は、携帯端末３に表示されない。
ステップ３６において、通信部受信時が第２の非表示期間内ではないと期間判定部２６が判定した場合には、期間判定部２６は、期間情報記憶部１４から第３の墓参期間情報８９を読みだし、通信部受信時が第３の墓参期間情報８９によって示される第３の墓参期間内であるかを判定する（ステップ３７）。
【００６７】
ステップ３７において、通信部受信時が第３の墓参期間内であると期間判定部２６が判定した場合には、第３のメッセージ出力部３３が、第３のメッセージ７７を携帯端末３に出力して表示させる（ステップ３９）。ここで、第３のメッセージ出力部３３は、メッセージ記憶部１２から第３のメッセージ７７を読み出し、読み出した第３のメッセージ７７を通信部７を介して携帯端末３に出力し、表示部４２の表示画面に表示させる。
また、第３のメッセージ出力部３３は、第３のメッセージ７７を識別する第１のメッセージＩＤ７６も携帯端末３に出力する。端末制御部４６は、第３のメッセージＩＤ７６を端末記憶部４９に記憶する。
ステップ３９において、第３のメッセージ出力部３３が、第３のメッセージ７７を出力すると、メイン制御部２１が、メッセージ出力情報記憶部１７から第２のメッセージ出力情報１０３を読み出し、第２のメッセージ７４が携帯端末３に配信済みであるかを判定する（ステップ４０）。
メイン制御部２１は、ステップ３１における処理と同様の処理を実行する。
【００６８】
ステップ４０において、第２のメッセージ７４が配信済みであるとメイン制御部２１が判定した場合には、閲覧制御部３１は、第２のメッセージ７４が閲覧できるように制御する（ステップ４１）。前述のように、第２の非表示期間においては、閲覧制御部３１が、第２のメッセージ７４が閲覧できないように制御している。しかしながら、ステップ４１において、閲覧制御部３１は、その閲覧制限を解除し、第２のメッセージ７４を閲覧できるようにする。
本実施形態では、ステップ４１において閲覧制御部３１が第２のメッセージ７４を閲覧可能化すると、それ以降の期間において、第２のメッセージの閲覧は制限されない。
【００６９】
また、ステップ４０において、第２のメッセージ７４が配信済みでないとメイン制御部２１が判定した場合には、ステップ４１は実行されない。
第３の墓参期間に、ステップ４１が実行されなかった場合には、閲覧制御部３１は第２のメッセージ７４の閲覧制限を解除しない。この場合、第２の非表示期間において、閲覧できないように制御された第２のメッセージ７４は、第２の非表示期間経過後の期間においても、閲覧できないままである。
次にステップ３７に戻って説明する。
ステップ３７において、通信部受信時が第３の墓参期間内ではないと期間判定部２６が判定した場合には、不特定人向けメッセージ出力部３４が、メッセージ記憶部１２から不特定人向けメッセージ７９を読み出し、読み出した不特定人向けメッセージ７９を携帯端末３に出力して表示部４２の表示画面に表示させる（ステップ４３）。
【００７０】
＜常時処理＞
次に、第１のメッセージ７２、第２メッセージ７４又は第３のメッセージ７７のうちの少なくとも１つのメッセージを、ユーザの携帯端末３が受信した後の処理について、図８を参照して説明する。なお、図８に示す処理は、墓参時以外にも可能な処理であり、ユーザの携帯端末３が墓参時に受信したメッセージを、ユーザが再度閲覧したい場合の処理である。
まず、墓参時に携帯端末３が受信したメッセージのうち、ユーザが閲覧を希望するメッセージのメッセージＩＤとメッセージの閲覧を要求する閲覧要求指示とを端末通信部４７がメッセージ表示装置１に送信する（ステップ５０）。操作部４５を介したユーザの操作に応じて、端末制御部４６は端末記憶部４９からユーザが指定したメッセージのメッセージＩＤを読み出し、端末通信部４７は端末制御部４６が読み出したメッセージＩＤと閲覧要求指示とをメッセージ表示装置１に送信する。
【００７１】
なお、このとき、どのメッセージの閲覧を希望するかを選択させる入力画面をメイン制御部２１が携帯端末３の表示部４２に表示させ、操作部４５を介したユーザの操作による上記入力画面への入力に基づいて、ユーザが閲覧を要求するメッセージのメッセージＩＤを端末制御部４６が端末記憶部４９から読み出してもよい。
また、端末記憶部４９に予め記憶され、どのメッセージの閲覧を希望するかを選択させる入力画面を端末制御部４６が端末記憶部４９から読み出して携帯端末３の表示部４２に表示させ、操作部４５を介したユーザの操作による上記入力画面への入力に基づいて、ユーザが閲覧を要求するメッセージのメッセージＩＤを端末制御部４６が端末記憶部４９から読み出してもよい。
【００７２】
次いで、ステップ５０において送信された閲覧要求指示とメッセージＩＤを通信部７が受信する。
メイン制御部２１は、通信部７が閲覧要求指示を受信すると、ユーザが閲覧希望するメッセージが第１のメッセージ７２であるかを判定する（ステップ５３）。メイン制御部２１は、メッセージ記憶部１２に記憶された第１のメッセージＩＤ７１を読み出し、通信部７が受信したメッセージＩＤと一致するかを判定することにより、ユーザが閲覧を希望するメッセージが第１のメッセージであるかを判定する。
【００７３】
ステップ５３において、ユーザが閲覧を希望するメッセージが第１のメッセージ７２であるとメイン制御部２１が判定した場合には、前述のステップ２６の処理が実行済みであるかを判定する。すなわち、メイン制御部２１は、閲覧制御部３１が第１の非表示期間における第１のメッセージ７２の閲覧制限を解除し、第１のメッセージ７２を閲覧可能にする処理が既に実行されているかを判定する（ステップ５４）。
ステップ５４において、第１のメッセージ７２を閲覧可能にする処理が既に実行されているとメイン制御部２１が判定した場合には、閲覧制御部３１は、第１のメッセージ７２を携帯端末３に出力して表示部４２の表示画面に表示させる（ステップ５６）。
【００７４】
ステップ５４において、第１のメッセージ７２を閲覧可能にする処理が実行されていないとメイン制御部２１が判定した場合には、第１の閲覧可能期間情報８４に基づいて、ステップ５１において通信部７が閲覧要求指示とメッセージＩＤを受信した受信時が、第１の閲覧可能期間であるかを期間判定部２６が判定する（ステップ５７）。
ステップ５７において、上記受信時が第１の閲覧可能期間であると期間判定部２６が判定した場合には、閲覧制御部３１は、第１のメッセージ７２を携帯端末３に出力して表示部４２の表示画面に表示させる（ステップ５６）。
ステップ５７において、上記受信時が第１の閲覧可能期間ではないと期間判定部２６が判定した場合には、第１のメッセージ７２は携帯端末３に表示されない。
【００７５】
次に、ステップ５３に戻って説明する。
ステップ５３において、ユーザが閲覧を希望するメッセージが第１のメッセージ７２ではないとメイン制御部２１が判定した場合には、メイン制御部２１は、メッセージ記憶部１２に記憶された第２のメッセージＩＤ７３を読み出し、通信部７が受信したメッセージＩＤが第２のメッセージＩＤ７３と一致するかを判定することにより、ユーザが閲覧を希望するメッセージが第２のメッセージ７４であるかを判定する（ステップ６０）。
ステップ６０において、ユーザが閲覧を希望するメッセージが第２のメッセージ７４であるとメイン制御部２１が判定した場合には、前述のステップ４１の処理が実行済みであるかを判定する。すなわち、メイン制御部２１は、閲覧制御部３１が、第２の非表示期間における第２のメッセージ７４の閲覧制限を解除し、第２のメッセージ７４を閲覧可能にする処理が既に実行されているかを判定する（ステップ６１）。
【００７６】
ステップ６１において、第２のメッセージ７４を閲覧可能にする処理が既に実行されているとメイン制御部２１が判定した場合には、閲覧制御部３１は、第２のメッセージ７４を携帯端末３に出力して表示部４２の表示画面に表示させる（ステップ６３）。
ステップ６１において、第１のメッセージ７２を閲覧可能にする処理が実行されていないとメイン制御部２１が判定した場合には、第２の閲覧可能期間情報８７に基づいて、ステップ５１において通信部７が閲覧要求指示とメッセージＩＤを受信した受信時が、第２の閲覧可能期間であるかを期間判定部２６が判定する（ステップ６４）。
ステップ６４において、上記受信時が第２の閲覧可能期間であると期間判定部２６が判定した場合には、閲覧制御部３１は、第２のメッセージ７４を携帯端末３に出力して表示部４２の表示画面に表示させる（ステップ６３）。
【００７７】
ステップ６４において、上記受信時が第２の閲覧可能期間ではないと期間判定部２６が判定した場合には、第２のメッセージ７４は携帯端末３に表示されない。
次に、ステップ６０に戻って説明する。
ステップ６０において、ユーザが閲覧を希望するメッセージが第２のメッセージではないとメイン制御部２１が判定した場合には、第３のメッセージ出力部３３は、第３のメッセージ７７を携帯端末３に出力して表示部４２の表示画面に表示させる（ステップ６５）。
【００７８】
なお、前述のステップ３以降の処理が実行されると、各処理が実行されたことを示す情報をメイン制御部２１が記憶部５に記憶する。したがって、例えば、閲覧制御部３１が第１のメッセージの閲覧可能化（ステップ２６）を実行したことを示す情報、及び閲覧制御部３１が第２のメッセージの閲覧可能化（ステップ４１）を実行したことを示す情報は記憶部５に記憶され、メイン制御部２１によって読み出すことができる。
【００７９】
以上のように、第１の実施形態に係るメッセージ表示装置１では、閲覧制御部３１が、第１の閲覧可能期間の経過後は、第１のメッセージ７２が閲覧できないように制御している。ここでは、前述のように、閲覧制御部３１は第１の非表示期間の間、第１のメッセージ７２が閲覧できないように制御している。また、前述のように、第１の非表示期間の経過後の期間である第２の墓参期間に、通信部７が墓石６０の画像情報（撮影画像６２）と携帯端末３の位置情報を受信すると、閲覧制御部３１は、第１のメッセージ７２を閲覧できるように制御する。
すなわち、メッセージ表示装置１は、第１のメッセージ７２を閲覧可能な期間の経過後は、携帯端末３において第１のメッセージ７２が所定の期間閲覧できないように制御し、上記所定の期間経過後に通信部７が墓石６０の画像情報（撮影画像６２）と携帯端末３の位置情報とを受信すると、第１のメッセージ７２が閲覧できるように制御する閲覧制御部３１を備えている。
したがって、メッセージ表示装置１によれば、ユーザが墓参によって受け取った第１のメッセージ７２が所定の期間経過後には閲覧できなくなり、その後に再び墓参することによって、第１のメッセージの閲覧制限が解除され、第１のメッセージ７２が再び閲覧できるようになる。したがって、ユーザの墓参が促されることになる。
【００８０】
また、メッセージ表示装置１では、ステップ２３において前述したように、第１の非表示期間の経過後の期間である第２の墓参期間に、通信部７が墓石６０の画像情報（撮影画像６２）と携帯端末３の位置情報を受信すると、第２のメッセージ出力部３２が第２のメッセージ７４を携帯端末３に出力して表示させる。
すなわち、メッセージ表示装置１は、上記所定の期間経過後に、通信部７が墓石６０の画像情報（撮影画像６２）と携帯端末３の位置情報とを受信すると、故人特定部２３が特定した故人ＩＤ（故人識別情報）５１に対応付けられ予め記憶された第２のメッセージ７４を携帯端末３に出力して表示させる第２のメッセージ出力部３２を備えている。
したがって、メッセージ表示装置１によれば、第２のメッセージ７４を受け取るためには、第１のメッセージ７２が閲覧できない期間（第１の非表示期間）の経過後に、再び墓参する必要がある。よって、ユーザの墓参がさらに促されることになる。
【００８１】
また、メッセージ表示装置１においては、ユーザの携帯端末３を介して、各種データ、メッセージ等の送受信を行っており、墓に別途装置を取り付けたり併設したりする必要がない。
よって、第１の実施形態に係るメッセージ表示装置１によれば、当該表示装置を墓に取り付けたり併設したりすることなく、墓参者にメッセージを伝えると共に、メッセージを残す相手に墓参を促すことができる。
【００８２】
また、ステップ２１〜ステップ２６において前述したように、メッセージ表示装置１では、第２のメッセージ出力部３２による第２のメッセージの出力（ステップ２３）と、閲覧制御部３１による第１のメッセージの閲覧可能化（ステップ２６）とは、第２の墓参期間に実行されている。
すなわち、第２のメッセージ出力部３２は、上記通信部受信時が第２の墓参期間（第２の配信期間）内であると期間判定部２６が判定した場合には、第２のメッセージ７４を携帯端末３に出力して表示させる。また、閲覧制御部３１は、上記通信部受信時が第２の墓参期間（第２の配信期間）内であると期間判定部２６が判定した場合には、携帯端末３において第１のメッセージ７２が閲覧できるように制御している。
したがって、メッセージ表示装置１によれば、第２のメッセージ７４を受け取ることができる第２の墓参期間（第２の配信期間）に墓参すれば、第２のメッセージ７４を受け取ることができると共に、第１のメッセージ７２の閲覧制限が解除されることになる。よって、ユーザの墓参への意欲がさらに高められることになり、ユーザの墓参をさらに促進することができる。
【００８３】
また、メッセージ表示装置１において、第１のメッセージ出力部２９は、上記通信部受信時が第１の墓参期間（第１の配信期間）内ではないと期間判定部２６が判定した場合には、第１のメッセージ７２を携帯端末３に出力しない。また、第２のメッセージ出力部３２は、上記通信部受信時が第２の墓参期間（第２の配信期間）内ではないと期間判定部２６が判定した場合には、第２のメッセージ７４を携帯端末３に出力しない。
したがって、第１のメッセージ７２を受け取るためには、第１の墓参期間（第１の配信期間）という限定された期間に墓参をする必要があり、第２のメッセージ７４を受け取るためには、第２の墓参期間（第２の配信期間）という限定された期間に墓参をする必要がある。よって、ユーザの墓参をさらに促すことができる。また、故人にとっても、メッセージを伝えたい時期を予め設定しておくことができるため、その時期に合わせたメッセージを遺しておくことができる。
なお、上記のメッセージ表示装置１では、第１のメッセージ７２と第２のメッセージ７４に加えて、第３のメッセージ７７も表示させる実施形態について説明している。閲覧制御部３１による第２のメッセージ７４の閲覧制御、第３のメッセージ出力部３３による第３のメッセージ７７の出力等についても、前述した効果と同様に、ユーザの墓参を促す効果を発揮することができる。
【００８４】
また、ステップ１１において前述したように、不特定人向けメッセージ出力部３４は、通信部７が受信したユーザＩＤ（ユーザ識別情報）と予め記憶され第１のメッセージ７２の宛先人を示す宛先識別情報１１１とが一致しない場合に、不特定人向けメッセージ７９をユーザの携帯端末３に出力して表示させる。
したがって、そのユーザに向けた第１のメッセージ７２がない場合であっても、墓参することにより、ユーザは故人６７のメッセージ（不特定人向けメッセージ７９）を受け取ることができる。よって、ユーザの墓参をさらに促すことができる。
なお、本実施形態では、第１のメッセージ７２と第２のメッセージ７４と第３のメッセージ７７の宛先人は同一人であるため、第２のメッセージ７４と第３のメッセージ７７についても同様に、そのユーザに向けた第２のメッセージ及び第３のメッセージ７７がない場合であっても、墓参することにより、ユーザは故人６７のメッセージ（不特定人向けメッセージ７９）を受け取ることができる。
【００８５】
また、ステップ１〜ステップ５において前述したように、ユーザの携帯端末３から送信された墓石６０の画像情報（撮影画像６２）と、携帯端末３の位置情報を用いて、故人特定部２３が故人ＩＤ（故人識別情報）５１を特定している。したがって、墓石６０と対応付けられた故人６７の特定を高精度に行うことができる。
【００８６】
［第２の実施形態］
図９に、第２の実施形態に係るメッセージ表示装置２００の機能ブロック図を示す。メッセージ表示装置２００の各構成部の一部は、第１の実施形態に係るメッセージ表示装置１と同様である。ここでは、主として、前述した第１の実施形態と異なる点について説明する。図９において、第１の実施形態と同様の構成要素には、同じ符号を付している。
【００８７】
メッセージ表示装置２００は、前述したメッセージ表示装置１の機能を有しており、図１に示すメッセージ表示装置１の各構成部を備えている。第１の実施形態のメッセージ表示装置１と異なる点は、メッセージ表示装置２００が、予告メッセージ記憶部２１９と、予告メッセージ出力部２３６と、解禁日情報通知部２３７と、期間情報変更部２３８とを備えている点である。メッセージ表示装置２００において、記憶部２０５は、前述のメッセージ表示装置１の記憶部５が有する各構成部に加えて、予告メッセージ記憶部２１９を備えている。また、メッセージ表示装置２００の制御部２０６は、前述のメッセージ表示装置１の制御部６が有する各構成部に加えて、予告メッセージ出力部２３６と、解禁日情報通知部２３７と、期間情報変更部２３８とを備えている。
【００８８】
予告メッセージ記憶部２１９は、故人が遺したメッセージに関する予告メッセージを記憶している。図１０に示すように、本実施形態において、予告メッセージ記憶部２１９は、第２のメッセージ７４の予告メッセージを第２の予告メッセージ２４３として記憶し、第３のメッセージ７７の予告メッセージを第３の予告メッセージ２４６として記憶している。第２の予告メッセージ２４３は、第２のメッセージ７４の閲覧を促す動画であり、第２のメッセージ７４の予告編である。同様に、第３の予告メッセージ２４６は、第３のメッセージ７７の閲覧を促す動画であり、第３のメッセージ７７の予告編である。第２の予告メッセージ２４３は、例えば、第２のメッセージ７４の一部のみを公開する動画であってもよいし、第２のメッセージ７４の閲覧を促すようなメッセージを有する動画であってもよい。第３の予告メッセージ２４６についても同様である。
【００８９】
また、各予告メッセージを識別する各予告メッセージＩＤが、予告メッセージ識別情報として記憶されている。本実施形態では、予告メッセージ記憶部２１９は、第２の予告メッセージ２４３に対応付けられて第２の予告メッセージ２４３を識別する第２の予告メッセージＩＤ２４２と、第３の予告メッセージ２４６に対応付けられて第３の予告メッセージ２４６を識別する第３の予告メッセージＩＤ２４５とを記憶している。予告メッセージ記憶部２１９に格納された各予告のメッセージ及び予告メッセージＩＤは、どの故人６７の予告メッセージであるかを識別するために、故人ＩＤ５１に対応付けられている。
【００９０】
予告メッセージ出力部２３６は、第１の非表示期間に、第２の予告メッセージ２４３をユーザの携帯端末３に出力して表示させる。また、予告メッセージ出力部２３６は、第２の非表示期間に、第３の予告メッセージ２４６をユーザの携帯端末３に出力して表示させる。
解禁日情報通知部２３７は、第２の墓参期間情報（第２の配信期間情報）８６に基づいて、第２の墓参期間（第２の配信期間）までの日数を示す解禁日情報をユーザの携帯端末３に通知する。また、解禁日情報通知部２３７は、第３の墓参期間（第３の配信期間情報）８９に基づいて、第３の墓参期間（第３の配信期間）までの日数を示す解禁日情報をユーザの携帯端末３に通知する。
期間情報変更部２３８は、第２の墓参期間情報８６の変更指示に従って、第２の墓参期間情報８６を変更する。また、期間情報変更部２３８は、第３の墓参期間情報８９の変更指示に従って、第３の墓参期間情報８９を変更する。
【００９１】
次にメッセージ表示装置２００の動作について説明する。
メッセージ表示装置２００は、前述のメッセージ表示装置１と同様に、図６〜図８のフローチャートを参照して前述した処理を実行する。ここでは、第１の実施形態のメッセージ表示装置１と異なる処理について説明する。
図１１に示す処理は、所定の期間に、次に受け取ることができるメッセージの予告メッセージを携帯端末３に配信する処理である。また、図１１に示す処理は、現在時刻が第１の非表示期間内又は第２の非表示期間内であるときに実行される処理である。現在時刻が第１の非表示期間内又は第２の非表示期間内であるかは、第１の非表示期間情報８５及び第２の非表示期間情報８８に基づいて期間判定部２６が判定する。
【００９２】
まず、期間判定部２６は、期間情報記憶部１４から第１の非表示期間情報８５を読みだし、現在時刻が第１の非表示期間内であるかを判定する（ステップ７２）。
ステップ７２において、現在時刻が第１の非表示期間内であると期間判定部２６が判定した場合には、期間判定部２６は、第１の非表示期間情報８５に基づいて、現在時刻が第１の非表示期間の前半であるかを判定する（ステップ７３）。なお、ここでは、第１の非表示期間を等分して前半と後半を設定している。
【００９３】
ステップ７３において、現在時刻が第１の非表示期間の前半であると期間判定部２６が判定した場合には、第１の非表示期間の前半期間内に、予告メッセージ案内と解禁日情報とが携帯端末３に１回通知される（ステップ７４）。ステップ７４では、メイン制御部２１が予告メッセージ案内を携帯端末３に出力して表示させる。予告メッセージ案内は、予告メッセージが閲覧できる旨を知らせる通知である。また、解禁日情報通知部２３７が、期間情報記憶部１４から第２の墓参期間情報８６を読みだし、現在時刻から第２の墓参期間までの日数を算出して、第２の墓参期間までの日数を解禁日情報として携帯端末３に出力して表示させる。
予告メッセージ案内と解禁日情報は、例えば、携帯端末３へプッシュ通知される。
メイン制御部２１は、予告メッセージ案内と共に、予告メッセージの閲覧を希望するかをユーザに選択させる入力画面を携帯端末３の表示部４２の表示画面に表示させる。
操作部４５を介したユーザの操作による上記入力画面への入力に基づいて、予告メッセージの閲覧を要求する予告メッセージ閲覧要求指示が携帯端末３から送信されると、通信部７がそれを受信する。予告メッセージ出力部２３６は、通信部７が受信した予告メッセージ閲覧要求指示に応じて、第２の予告メッセージ２４３を携帯端末３に出力して表示部４２の表示画面に表示させる（ステップ７５）。
【００９４】
次に、ステップ７３に戻って説明する。
ステップ７３において、現在時刻が第１の非表示期間の前半ではないと期間判定部２６が判定した場合には、第１の非表示期間の後半期間内に、予告メッセージ案内と、解禁日情報と、次回の墓参期間（ここでは、第２の墓参期間）が携帯端末３に１回通知される（ステップ７７）。前述のステップ７４と同様に、メイン制御部２１が予告メッセージ案内を出力し、解禁日情報通知部２３７が解禁日情報を出力する。また、ステップ７７では、解禁日情報通知部２３７が期間情報記憶部１４から第２の墓参期間情報８６を読みだし、第２の墓参期間を携帯端末３に出力して表示させる。
加えて、メイン制御部２１は、予告メッセージ案内と共に、予告メッセージの閲覧を希望するかをユーザに選択させる入力画面を携帯端末３の表示部４２の表示画面に表示させる。また、解禁日情報通知部２３７は、第２の墓参期間と共に、第２の墓参期間の変更を希望するかをユーザに選択させユーザが希望する変更後の第２の墓参期間の入力を受け付ける変更期間入力画面を携帯端末３に出力して表示させる。
【００９５】
操作部４５を介したユーザの操作による上記入力画面への入力に基づいて、予告メッセージの閲覧を要求する予告メッセージ閲覧要求指示が携帯端末３から送信されると、通信部７がそれを受信する。予告メッセージ出力部２３６は、前述したステップ７５と同様に、通信部７が受信した予告メッセージ閲覧要求指示に応じて、第２の予告メッセージ２４３を携帯端末３に出力して表示部４２の表示画面に表示させる（ステップ７８）。
次いで、操作部４５を介したユーザの操作による上記変更期間入力画面への入力に基づいて、第２の墓参期間（第２の配信期間）の変更を希望する墓参期間変更指示と、変更後の第２の墓参期間を示す変更希望期間情報とが送信されると、通信部７がそれを受信する。
期間情報変更部２３８は、墓参期間変更指示と、変更希望期間情報とに従って、第２の墓参期間が変更希望期間情報に示される変更後の第２の墓参期間となるように、第２の墓参期間情報８６を変更する（ステップ８１）。期間情報変更部２３８は変更した第２の墓参期間情報８６を期間情報記憶部１４に記憶する。
【００９６】
次に、ステップ７２に戻って説明する。
ステップ７２において、現在時刻が第１の非表示期間内でないと期間判定部２６が判定した場合には、期間判定部２６が、期間情報記憶部１４から第２の非表示期間情報８８を読みだし、現在時刻が第２の非表示期間内であるかを判定する（ステップ８２）。
ステップ８２において、現在時刻が第２の非表示期間内であると期間判定部２６が判定した場合には、第３の予告メッセージ２４６及び第３の墓参期間について、前述のステップ７３〜ステップ８１と同様の処理が実行される。すなわち、第２の非表示期間においては、予告メッセージ出力部２３６が、第３の予告メッセージ２４６を携帯端末３に出力して表示させる（ステップ７５，ステップ７８）。また、ステップ７４及びステップ７７において、解禁日情報通知部２３７が、期間情報記憶部１４から第３の墓参期間情報８９を読みだし、現在時刻から第３の墓参期間までの日数を算出して、第３の墓参期間までの日数を解禁日情報として携帯端末３に出力して表示させる。ステップ７７では、解禁日情報通知部２３７が期間情報記憶部１４から第３の墓参期間情報８９を読みだし、第３の墓参期間を携帯端末３に出力して表示させる。
【００９７】
ステップ８１では、期間情報変更部２３８は、第３の墓参期間についての墓参期間変更指示と、変更希望期間情報とに従って、第３の墓参期間が変更希望期間情報に示される変更後の第３の墓参期間（第３の配信期間）となるように、第３の墓参期間情報（第３の配信期間情報）８９を変更する。また、期間情報変更部２３８は変更した第３の墓参期間情報８９を期間情報記憶部１４に記憶する。
また、前述のように、図１１に示す処理は、現在時刻が第１の非表示期間内であるか又は第２の非表示期間内である場合に実行される。したがって、ステップ８２において、現在時刻が第２の非表示期間ではないと期間判定部２６が判定した場合には、前述のステップ７３〜ステップ８１の処理は実行されない。
なお、本実施形態において、予告メッセージは、閲覧制御部３１によって閲覧制御されず、一度配信された予告メッセージは、その後も閲覧可能である。
【００９８】
以上のように、第２の実施形態に係るメッセージ表示装置２００は、第１の閲覧可能期間の経過後（上記例では、第１の非表示期間）に、第２のメッセージ７４の予告を行う予告メッセージ（第２の予告メッセージ２４３）をユーザの携帯端末３に出力して表示させる予告メッセージ出力部２３６を備えている。
したがって、第２のメッセージ７４に対するのユーザの閲覧欲求を高めることができる。また、第２のメッセージ７４は墓参時に携帯端末３に出力されるため、ユーザの墓参への意欲がさらに高められることになる。したがって、ユーザの墓参をさらに促進することができる。
なお、第２の実施形態では、前述のように、第２の非表示期間において、第３のメッセージ７７について、予告メッセージ出力部２３６が第３の予告メッセージ２４６を携帯端末３に出力して表示させている。したがって、第３のメッセージ７７についても、同様に、ユーザの閲覧欲求が高まることになり、ユーザの墓参をさらに促すことができる。
【００９９】
また、メッセージ表示装置は、第１の閲覧可能期間の経過後（上記例では、第１の非表示期間）に、第２の墓参期間情報（第２の配信期間情報）８６に基づいて、第２の墓参期間（第２の配信期間）までの日数を示す解禁日情報をユーザの携帯端末３に通知する解禁日情報通知部２３７を備えている。
したがって、第２の墓参期間の到来を待ち望むユーザの期待感が高まることになる。また、第２の墓参期間を忘れないように、ユーザに向けて、注意喚起されることになる。したがって、ユーザの墓参をさらに促進することができる。なお、第３の墓参期間についても同様である。
【０１００】
また、第２の実施形態において、期間情報変更部２３８は、墓参期間変更指示（第２の配信期間の変更指示）と変更希望期間情報とに従って、第２の墓参期間（第２の配信期間）が変更希望期間情報に示される変更後の第２の墓参期間（第２の配信期間）となるように、第２の墓参期間情報（第２の配信期間情報）８６を変更する。
したがって、予定されていた第２の墓参期間内に、墓参できない事情が生じたときであっても、第２の墓参期間を変更することによって、変更後の第２の墓参期間内に第２のメッセージを受け取ることができる。なお、第３の墓参期間についても同様である。
【０１０１】
［第３の実施形態］
図１２に、第３の実施形態に係るメッセージ表示装置３００の機能ブロック図を示す。メッセージ表示装置３００の各構成部の一部は、第１の実施形態に係るメッセージ表示装置１と同様である。ここでは、主として、前述した第１の実施形態と異なる点について説明する。図１２において、第１の実施形態と同様の構成要素には、同じ符号を付している。
【０１０２】
メッセージ表示装置３００は、前述したメッセージ表示装置１の機能を有しており、図１に示すメッセージ表示装置１の各構成部を備えている。第１の実施形態のメッセージ表示装置１と異なる点は、メッセージ表示装置３００が、墓参履歴情報記憶部３１９と、墓参履歴情報作成部３３５と、墓参履歴通知部３３６とを備えている点である。メッセージ表示装置３００において、記憶部３０５は、前述のメッセージ表示装置１の記憶部５が有する各構成部に加えて、墓参履歴情報記憶部３１９を備えている。また、メッセージ表示装置３００の制御部３０６は、前述のメッセージ表示装置１の制御部６が有する各構成部に加えて、墓参履歴通知部３３６と、墓参履歴情報作成部３３５とを備えている。
【０１０３】
図１３に示すように、墓参履歴情報記憶部３１９は、ユーザが故人６７の墓に墓参したことを示す墓参履歴情報３４１を記憶する。本実施形態においては、通信部７が墓石６０の画像情報（撮影画像６２）と携帯端末３の位置情報とユーザＩＤ９１を受信した受信時（通信部受信時）の時点を示す年月日及び時刻が、墓参履歴情報３４１として記憶されている。
墓参履歴情報３４１は上記ユーザのユーザＩＤ９１及び上記故人６７の故人ＩＤ５１と対応付けられている。
墓参履歴情報作成部３３５は、通信部７が受信したユーザＩＤ９１と一致するユーザＩＤ９１があるとユーザ判定部２５が判定した場合には、一致したユーザＩＤ９１に対応付けられた墓参履歴情報３４１を作成する。
墓参履歴通知部３３６は、墓参履歴情報作成部３３５が墓参履歴情報３４１を作成すると、故人ＩＤ５１に対応付けられた他のユーザＩＤ９１によって特定される他のユーザの携帯端末３に、上記ユーザが故人６７の墓に墓参したことを通知する。
【０１０４】
次にメッセージ表示装置３００の動作について説明する。
メッセージ表示装置３００は、前述のメッセージ表示装置１と同様に、図６〜図８のフローチャートを参照して前述した処理を実行する。ここでは、第１の実施形態のメッセージ表示装置１と異なる処理について説明する。
図１４に示す処理は、図６及び図７のフローチャートを参照して前述した処理と同様に、墓参時に実行される処理であり、図６及び図７の処理と同時に実行される。
図１４のフローチャートにおいて、ステップ１〜ステップ６の処理は、図６に示す前述のステップ１〜ステップ６の処理と同じであるため、説明を省略する。
【０１０５】
故人特定部２３が特定した故人ＩＤ５１に対応付けられたユーザＩＤ９１と通信部７が受信したユーザＩＤ９１とが一致するとユーザ判定部２５が判定した場合には、墓参履歴情報作成部３３５は、墓参履歴情報３４１を作成する（ステップ９１）。墓参履歴情報作成部３３５は、上記通信部受信時の時点を示す年月日及び時刻を取得して墓参履歴情報３４１を作成し、作成した墓参履歴情報３４１を墓参履歴情報記憶部３１９に記憶する。
ステップ９１において、墓参履歴情報作成部３３５が墓参履歴情報３４１を作成すると、墓参履歴通知部３３６は、故人ＩＤ５１に対応付けられた他のユーザＩＤ９１によって特定される他のユーザの携帯端末３に、墓参履歴情報３４１に対応付けられたユーザＩＤ９１によって識別されるユーザが故人６７の墓に墓参したことを通知する（ステップ９２）。ここでは、１個の故人ＩＤ５１に対応付けられたユーザＩＤ９１が複数ある場合を想定している。墓参履歴通知部３３６は、ユーザが故人６７の墓に墓参したことを通知するときに、墓参したユーザのユーザ名９３を上記他のユーザに通知してもよく、また、墓参履歴情報３４１に基づいて、上記通信部受信時の時点を示す年月日及び時刻を上記他のユーザに通知してもよい。
【０１０６】
なお、墓参履歴通知部３３６は、墓参履歴情報３４１が作成された時点で、他のユーザへ通知を行ってもよいし、他のユーザが希望する時点、又は、予め設定された所定の期間において、他のユーザへの通知を行ってもよい。
以上のように、第３の実施形態に係るメッセージ表示装置３００において、墓参履歴通知部３３６は、墓参履歴情報作成部３３５が墓参履歴情報３４１を作成すると、予め記憶され故人ＩＤ（故人識別情報）５１に対応付けられた他のユーザＩＤ９１（他のユーザ識別情報）によって識別される他のユーザの携帯端末３に、墓参履歴情報３４１に対応付けられたユーザＩＤ９１によって識別されるユーザが故人６７の墓に墓参したことを通知する。
したがって、上記他のユーザは、自分以外の人が故人６７に墓参したかどうかを知ることができる。故人ＩＤ５１と対応付けられているユーザＩＤ９１によって識別されるユーザは、故人６７の家族、親戚又は関係者である可能性が高い。自分以外の故人６７の家族、親戚又は関係者が墓参したことを通知されることにより、通知を受けたユーザは、墓参への意識が高まることになる。したがって、ユーザの墓参をさらに促進させることができる。
【０１０７】
［第４の実施形態］
図１５に、第４の実施形態に係るメッセージ表示装置４００の機能ブロック図を示す。メッセージ表示装置４００の各構成部の一部は、第１の実施形態に係るメッセージ表示装置１又は第３の実施形態に係るメッセージ表示装置３００の一部と同様である。ここでは、主として、前述した第１の実施形態又は第３の実施形態と異なる点について説明する。図１５において、第１の実施形態又は第３の実施形態と同様の構成要素には、同じ符号を付している。
【０１０８】
メッセージ表示装置４００は、前述したメッセージ表示装置１の機能を有しており、図１に示すメッセージ表示装置１の各構成部を備えている。第１の実施形態のメッセージ表示装置１と異なる点は、メッセージ表示装置４００が、墓参履歴情報記憶部３１９と、墓参履歴情報作成部３３５と、墓参回数情報作成部４３７と、家系図情報出力部４３８とを備えている点である。また、ユーザ情報記憶部４１５は、第１の実施形態に係るユーザ情報記憶部１５に記憶しているデータに加えて、故人６７との続柄を示す続柄情報４４１を記憶している。
メッセージ表示装置４００において、記憶部４０５は、前述のメッセージ表示装置１の記憶部５が有する各構成部に加えて、墓参履歴情報記憶部３１９を備えている。また、メッセージ表示装置４００の制御部４０６は、前述のメッセージ表示装置１の制御部６が有する各構成部に加えて、墓参履歴情報作成部３３５と、墓参回数情報作成部４３７と、家系図情報出力部４３８とを備えている。
【０１０９】
墓参履歴情報記憶部３１９と墓参履歴情報作成部３３５の構成は、第３の実施形態において前述した構成と同様である。
図１６に示すように、ユーザ情報記憶部４１５は、続柄情報４４１を備えている。ユーザ情報記憶部４１５は、続柄情報４４１として、故人６７に対するユーザの続柄（例えば、「孫」）を記憶している。続柄情報４４１は、ユーザＩＤ９１及び故人ＩＤ５１に対応付けられている。続柄情報４４１は、ユーザ名９３等の情報と共に、前述の事前登録の処理において予めユーザ情報記憶部４１５に記憶されている。なお、続柄情報４４１を記憶する際には、通信部７又は入力部８が、続柄情報４４１をメッセージ表示装置に入力し、メイン制御部２１が入力された続柄情報４４１をユーザ情報記憶部４１５に記憶する。
墓参回数情報作成部４３７は、墓参履歴情報作成部３３５が作成した墓参履歴情報３４１に基づいて、ユーザの墓参回数を示す墓参回数情報を作成する。
家系図情報出力部４３８は、上記続柄情報４４１に基づいて、故人６７とユーザとを含む家系図をユーザの携帯端末３に表示させる。
【０１１０】
次に、メッセージ表示装置４００の動作について説明する。
メッセージ表示装置４００は、前述のメッセージ表示装置１と同様に、図６〜図８のフローチャートを参照して前述した処理を実行する。ここでは、第１の実施形態のメッセージ表示装置１と異なる処理について説明する。
図１７に示す処理は、図６及び図７のフローチャートを参照して前述した処理と同様に、墓参時に実行される処理であり、図６及び図７の処理と同時に実行される。
図１７のフローチャートにおいて、ステップ１〜ステップ６の処理は、図６に示す前述のステップ１〜ステップ６の処理と同じであるため、説明を省略する。また、ステップ９１の処理は、図１４に示す前述のステップ９１の処理と同じであるため、説明を省略する。
【０１１１】
ステップ９１において、墓参履歴情報作成部３３５が墓参履歴情報３４１を作成すると、墓参回数情報作成部４３７は、上記墓参回数情報を作成する（ステップ１００）。墓参回数情報作成部４３７は、ステップ９１において墓参履歴情報記憶部３１９に記憶された墓参履歴情報３４１を、墓参履歴情報記憶部３１９から読み出し、墓参履歴情報３４１の数に応じて墓参回数を算出し、算出した墓参回数を示す墓参回数情報を作成する。本実施形態では、年月日の異なる墓参履歴情報３４１の数を墓参回数とみなす。年月日の同じ複数の墓参履歴情報３４１がある場合、それらは１回の墓参とみなす。
次いで、メイン制御部２１は、家系図の表示を希望するかをユーザに選択させる家系図表示選択画面を携帯端末３の表示部４２の表示画面に表示させる（ステップ１０１）。ユーザは、家系図表示選択画面を介して、家系図の表示を要求する家系図表示要求指示を携帯端末３に入力することができる。家系図表示要求指示が携帯端末３に入力された場合、端末通信部４７は、上記家系図表示要求指示をメッセージ表示装置４００に送信する。通信部７は携帯端末３から送信された家系図表示要求指示を受信する。
【０１１２】
次いで、メイン制御部２１は、通信部７が家系図表示要求指示を受信したかを判定する（ステップ１０２）。
ステップ１０２において、通信部７が家系図表示要求指示を受信したとメイン制御部２１が判定した場合には、家系図情報出力部４３８が、ステップ５において特定された故人ＩＤ５１に対応付けられたすべてのユーザＩＤ９１と、当該ユーザＩＤ９１に対応付けられた続柄情報４４１とを、ユーザ情報記憶部４１５から読み出す（ステップ１０４）。ここでは、１個の故人ＩＤ５１に対応付けられたユーザＩＤ９１が複数ある場合を想定している。読み出された複数のユーザＩＤ９１によって識別される複数のユーザには、家系図表示要求指示を送信したユーザと、その他のユーザが含まれる。
【０１１３】
ステップ１０４において読み出したユーザＩＤ９１と続柄情報４４１に基づいて、家系図情報出力部４３８は、家系図を表示させるための家系図情報を携帯端末３に出力し、家系図を携帯端末３に表示させる（ステップ１０５）。家系図情報は、携帯端末３に家系図を表示させるための情報である。例えば、家系図情報出力部４３８は、ステップ１０４において読み出したユーザＩＤ９１と続柄情報４４１に基づいて家系図の画像データを作成し、作成した画像データを家系図情報として携帯端末３に出力してもよい。また、例えば、家系図情報出力部４３８は、ステップ１０４において読み出したユーザＩＤ９１によって識別されるユーザのユーザ名９３と、続柄情報４４１と、故人ＩＤ５１によって識別される故人名５２とを家系図情報として携帯端末３に出力し、出力されたユーザ名９３と続柄情報４４１と故人名５２とを用いて端末制御部４６が所定のデザインの家系図を表示部４２の表示画面に表示させてもよい。
【０１１４】
また、本実施形態では、家系図情報出力部４３８は、ステップ１００において作成された墓参回数に応じて、家系図に表示される各ユーザを示す表示を変化させる。例えば、家系図情報出力部４３８は、携帯端末３に表示させた家系図において、墓参回数が多いユーザのユーザ名９３を大きく表示させたり、強調表示させたりしてもよい。また、家系図情報出力部４３８は、携帯端末３に表示させた家系図において、ユーザ名９３と共にそのユーザの墓参回数を表示させてもよい。
なお、本実施形態において、続柄情報４４１として、故人６７とユーザの家系に関係のない続柄（例えば、「友人」等）が記憶されている場合には、家系図情報出力部４３８は、その続柄情報４４１に対応付けられているユーザを除外して、家系図を表示させる。また、故人６７とユーザの家系に関係のない続柄のユーザの携帯端末３から家系図表示要求指示の送信があった場合には、家系図情報出力部４３８は、家系図を携帯端末３に表示させない。
【０１１５】
以上のように、第４の実施形態に係るメッセージ表示装置４００は、家系図を携帯端末３に表示させる家系図情報出力部４３８を備えている。したがって、ユーザは故人６７とユーザに関する家系図を見ることができ、例えば、把握できていなかった新しい親戚や疎遠になっていた親戚の存在を確認することができる。また、ユーザＩＤ９１が配布された親戚を把握することができるため、例えば、故人６７に関する法要等の行事において、上記家系図を招待者の選定等に役立てることができる。
また、図１７のステップ１及びステップ２に示すように、図１７に示す処理は墓参時に実行される。したがって、家系図を見るためには墓参する必要がある。よって、ユーザの墓参意欲をさらに高めることができる。
【０１１６】
また、上記メッセージ表示装置４００において、家系図情報出力部４３８は、墓参回数情報作成部４３７が作成した墓参回数情報が示す墓参回数に応じて、家系図における各ユーザ（通信部７が受信したユーザＩＤ９１によって識別されるユーザ及びその他のユーザ）を示す表示を変化させている。
したがって、より直観的にユーザの墓参回数の多少を把握することができる。また、他のユーザの墓参状況を知ることにより、墓参への意識が高まることになる。したがって、ユーザの墓参をさらに促進させることができる。
【０１１７】
［他の実施形態］
以上、本発明の実施形態について述べたが、本発明は既述の実施形態に限定されるものではなく、各種の変形及び変更が可能である。
記述の実施形態において、第１のメッセージ７２、第２のメッセージ７４等の各種のメッセージは、どのような方法で携帯端末３に出力されてもよい。例えば、前述のように、携帯端末３に出力された各種メッセージが携帯端末３に保存されるダウンロード配信であってもよい。第１の墓参期間において第１のメッセージ７２がダウンロード配信される場合、端末制御部４６は、端末通信部４７を介して受信した第１のメッセージ７２を端末記憶部４９に記憶する。また、閲覧制御部３１は、ダウンロードされた第１のメッセージ７２が、第１の閲覧可能期間経過後は閲覧できなくなるように制御する。すなわち、第１の墓参期間において携帯端末３にダウンロードされ端末記憶部４９に記憶された第１のメッセージ７２は、期間限定で閲覧可能なメッセージである。
【０１１８】
また、第２の墓参期間において、閲覧制御部３１が第１のメッセージ７２の閲覧ができるように制御すると、第１の墓参期間においてダウンロードされた第１のメッセージ７２の閲覧制限が解除されて、第１のメッセージ７２が再び閲覧できるようになる。なお、ダウンロードされた第１のメッセージ７２を第１の閲覧可能期間内に携帯端末３に表示させる場合、端末制御部４６が、端末記憶部４９から第１のメッセージ７２を読み出して表示部４２の表示画面に表示させてもよい。第２のメッセージ７４についても同様である。
【０１１９】
第１の実施形態においては、第１のメッセージ７２と第２のメッセージ７４と第３のメッセージ７７の宛先人を同一人に設定しているが、各メッセージの宛先人をそれぞれ別人に設定してもよい。この場合、宛先識別情報記憶部１８は、各メッセージの宛先人である各ユーザのユーザＩＤ９１を記憶する。また、既述のステップ７（図６）の処理と同様の宛先人判定処理を、各メッセージを携帯端末３に出力する前に、宛先判定部２７が実行し、各メッセージの宛先人情報と通信部７が受信したユーザＩＤ９１が一致する場合にのみ各メッセージを携帯端末３に出力するように構成してもよい。
【０１２０】
例えば、宛先識別情報記憶部１８と宛先判定部２７を備えなくてもよいし、宛先識別情報１１１等を使用しないで第１のメッセージ７２等の各種メッセージを携帯端末３に出力するように構成してもよい。
また、ユーザ情報記憶部１５とユーザ判定部２５を備えなくてもよいし、ユーザＩＤ９１を使用しないで第１のメッセージ７２等の各種メッセージを携帯端末３に出力するように構成してもよい。
【０１２１】
前述のステップ６において、例えば、通信部７が受信したユーザＩＤ９１が故人ＩＤ５１に対応付けられたユーザＩＤ９１と一致しないとユーザ判定部２５が判定した場合には、不特定人向けメッセージ出力部３４が不特定人向けメッセージ７９をユーザの携帯端末３に表示するように構成してもよい。また、ステップ６の処理を実行せずにステップ７において、通信部７が受信したユーザＩＤ９１が宛先識別情報１１１等と一致しないと宛先判定部２７が判定した場合には、不特定人向けメッセージ出力部３４が不特定人向けメッセージ７９をユーザの携帯端末３に表示するように構成してもよい。なお、通信部７が受信したユーザＩＤ９１が一致しない場合とは、通信部７がユーザＩＤ９１を受信しておらず、比較対象のユーザＩＤ９１がない場合も含む。
【０１２２】
第１の実施形態においては、第２のメッセージ出力部３２による第２のメッセージ７４の出力（ステップ２３）と、閲覧制御部３１による第１のメッセージ７２の閲覧可能化（ステップ２６）とは、第２の墓参期間において、同時に実行されているが、これらの処理は、同時期又は同時に実行されなくてもよい。例えば、第２の墓参期間において、閲覧制御部３１による第１のメッセージ７２の閲覧可能化（ステップ２６）を実行し、第３の墓参期間において、第２のメッセージ出力部３２による第２のメッセージ７４の出力（ステップ２３）を実行してもよい。
【０１２３】
図６のステップ４における通信部７が受信した墓石６０の画像情報（撮影画像６２）と予め記憶された墓石６０の画像情報５４との一致判定処理において、どのような画像マッチング判定処理を実行してもよい。例えば、ＯｐｅｎＣＶ等の既存の画像処理ライブラリを利用して、通信部７が受信した墓石６０の画像情報（撮影画像６２）と予め記憶された墓石６０の画像情報５４が一致するかを判定してもよい。
既述の実施形態において、次回の墓参期間をユーザの携帯端末３に通知する処理（ステップ１９等）を実行する際に、次回の墓参期間に上記ユーザが受け取ることができるメッセージがあるかをメイン制御部２１が上記ユーザの携帯端末３に通知するように構成してもよい。
【０１２４】
第１のメッセージ７２等の各種メッセージを携帯端末３に表示する前に、メッセージの閲覧を希望するかをユーザに選択させる入力画面をメイン制御部２１が携帯端末３に表示させるように構成し、操作部４５を介したユーザの操作によって、メッセージの閲覧を要求する閲覧要求指示が携帯端末３から送信された場合に、上記メッセージを携帯端末３に表示させるように構成してもよい。
また、第１のメッセージ出力部２９等の各種メッセージ出力部が、第１のメッセージ７２等の各種メッセージを携帯端末３に出力して表示させる際に、ユーザの選択に応じて、各種メッセージが携帯端末３へ出力されてから所定の期間経過後（例えば、墓参からの帰宅後）に、各種メッセージを携帯端末３に表示させるように構成してもよい。
【０１２５】
携帯端末３は、端末記憶部４９にインストールされた専用のアプリケーションソフトウェア（例えば、スマートフォンのアプリ）を介して、メッセージ表示装置１，２００，３００，４００との各種データの送受信を実行してもよい。
既述の実施形態において、第１のメッセージ７２等の各種メッセージは動画であるが、どのような形式のメッセージであってもよい。例えば、静止画であってもよいし、音声又は文字によるメッセージであってもよい。
上記実施形態においては、第１のメッセージ７２と第２のメッセージ７４と第３のメッセージ７７を携帯端末３に出力する場合について説明しているが、さらに多くのメッセージを出力してもよいし、第１のメッセージ７２と第２のメッセージ７４のみを出力してもよい。また、メッセージの数に応じて、より多くの墓参期間（メッセージ配信期間）を設定してもよい。
【０１２６】
既述の実施形態において、墓参期間等の各種期間は、どのように設定してもよい。例えば、故人の命日情報を用いずに、墓参期間等の各種期間を設定してもよい。また、メッセージの宛先人又は故人の誕生日や結婚記念日等、各年に生じる特定の日を基準に上記各種期間を設定してもよいし、メッセージの宛先人の成人式等、特定のイベントの日を基準に上記各種期間を設定してもよいし、故人が希望する所定の間隔で上記各種期間を設定してもよい。
【０１２７】
例えば、所定の墓参期間（配信期間）に携帯端末３に出力されなかったメッセージの履歴情報をメイン制御部２１が携帯端末３に通知するように構成してもよい。
また、所定の墓参期間（配信期間）内に通信部７が墓石６０の画像情報と携帯端末３の位置情報とユーザＩＤ９１を受信しなかった場合又は上記所定の墓参期間に配信が予定されていたメッセージが出力されていない場合には、メイン制御部２１が墓参を促す通知を上記ユーザＩＤ９１によって識別されるユーザの携帯端末３に表示させてもよい。また、所定の墓参期間（配信期間）の残り日数が所定の日数以下になったときに、通信部７が墓石６０の画像情報と携帯端末３の位置情報とユーザＩＤ９１を受信しなかった場合又は上記所定の墓参期間に配信が予定されていたメッセージが出力されていない場合には、メイン制御部２１が墓参を促す通知を携帯端末３に表示させてもよい。
【０１２８】
また、例えば、第１のメッセージ７２等の各種メッセージのメッセージＩＤ７１等を端末記憶部４９に記憶しなくてもよく、携帯端末３からメッセージＩＤをメッセージ表示装置１に送信せずに、図８に示す処理を実行してもよい。例えば、携帯端末３に配信済みのメッセージのうち、どのメッセージの閲覧を希望するかを選択させる入力画面をメイン制御部２１が携帯端末３の表示部４２に表示させ、操作部４５を介したユーザの操作による上記入力画面への入力に基づいて、ユーザが閲覧を要求するメッセージを識別する識別情報とメッセージの閲覧要求指示とを端末通信部４７がメッセージ表示装置１に送信し、メッセージ表示装置１において、上記送信された識別情報を用いてユーザが閲覧を要求するメッセージを識別してもよい。
【０１２９】
第２の実施形態において、図１１を参照して前述した処理を第１のメッセージ７２について実行してもよい。例えば、第１のメッセージ７２の予告メッセージを予告メッセージ出力部２３６が、第１の墓参期間の前に携帯端末３に出力するように構成してもよいし、解禁日情報及び第１の墓参期間を解禁日情報通知部２３７が携帯端末３に表示させて、第１の墓参期間の変更が可能となるように構成してもよい。
第２の実施形態においては第１及び第２の非表示期間を前半と後半に分けて、それぞれ１回ずつ予告メッセージの配信を行っているが、予告メッセージをどのようなタイミングで配信してもよいし、何回配信してもよい。また、予告メッセージの配信をランダムなタイミングで実行してもよい。
また、第２の実施形態において、予告メッセージ記憶部２１９を備えずに、予告メッセージ出力部２３６が、メッセージ記憶部１２から第１のメッセージ７２等の各種のメッセージを読み出し、読み出したメッセージの一部（例えば、冒頭の数秒間分のメッセージ）のみを予告メッセージとして携帯端末３に出力するように構成してもよい。
第２の実施形態において、例えば、特定の墓参期間を変更できる回数を所定の回数内（例えば、３回まで）に限定してもよい。また、墓参期間の残り日数が所定の日数以下になったときに、メイン制御部２１又は解禁日情報通知部２３７が、墓参期間の変更を希望するかをユーザに選択させユーザが希望する変更後の墓参期間の入力を受け付ける入力画面を携帯端末３に出力して表示させてもよく、ユーザの入力に応じて、期間情報変更部２３８が墓参期間情報８３，８６，８９を変更するように構成してもよい。
【０１３０】
第３及び第４の実施形態においては、墓参履歴情報３４１として上記通信部受信時の時点を示す年月日及び時刻を記憶しているが、他の形式のデータを墓参履歴情報３４１として記憶してもよい。例えば、通信部７が墓石６０の画像情報（撮影画像６２）と携帯端末３の位置情報を受信したときに、墓参履歴情報作成部３３５が、年月日及び時刻の情報を取得せずに受信があったことのみを示す墓参履歴情報３４１を作成し、作成した墓参履歴情報３４１を墓参履歴情報記憶部３１９に記憶するように構成してもよい。
また、第４の実施形態において、故人６７とユーザの家系に関係のない続柄が記憶されているユーザも含め、故人ＩＤ５１に対応付けられているすべてのユーザのユーザ名と墓参履歴回数をメイン制御部２１が携帯端末３に表示させるように構成してもよい。
例えば、既述の実施形態において、１個のユーザＩＤ９１に対応付けられた故人ＩＤ５１が複数あってもよい。この場合、第４の実施形態においてユーザの携帯端末３に家系図を表示させる際に、当該ユーザのユーザＩＤ９１に対応付けられた複数の故人ＩＤ５１によって識別される複数の故人６７の故人名５２と、上記複数の故人ＩＤ５１にそれぞれ対応付けられた他のユーザＩＤ９１によって識別される他のユーザのユーザ名９３とを、家系図情報出力部４３８が家系図に表示するように構成してもよい。また、故人情報記憶部１１に予め記憶した故人６７の戒名又は法名を家系図情報出力部４３８が家系図に表示するように構成してもよく、その他の各種の情報を家系図情報出力部４３８が家系図に表示するように構成してもよい。
【０１３１】
また、既述の実施形態において、故人情報記憶部１１が、故人の位牌の画像データを予め記憶しておくように構成してもよい。この場合、携帯端末３又は他のコンピュータが送信し通信部７が受信した位牌の画像データと、故人情報記憶部１１に予め記憶された位牌の画像データが一致した場合に、予め記憶された各種のデータ（例えば、墓石６０の画像情報５４及び位置情報５５）の変更が可能になるように構成してもよい。これにより、記憶された各種のデータに変更が生じた場合に、ユーザによるデータの変更が可能になると共に、位牌の所有者又は管理者以外のユーザが勝手にデータを書き換えることを防止することができる。
また、他の例として、予め指定したユーザＩＤ９１によって識別されるユーザのみが記憶された各種のデータを変更できるように構成してもよい。
【０１３２】
第１のメッセージ７２等の各種のメッセージを拡張現実（ＡＲ）を用いた動画として携帯端末３に表示させてもよい。例えば、携帯端末３を墓石６０にかざした状態で、故人がメッセージを語る映像が墓石６０の前にオーバーラップして表示されてもよい。この場合、第１のメッセージ７２等の各種のメッセージに予めクロマキーを利用した背景透過処理を施しておいてもよい。例えば、携帯端末３にインストールされた専用のアプリケーションソフトウェアを介して、生前の故人がメッセージをメッセージ表示装置１等に登録する際に、メイン制御部２１が、通信部７を介して受信した上記メッセージにＡＲ（拡張現実）のための背景透過処理を実行して、背景透過処理された上記メッセージをメッセージ記憶部１２に記憶するように構成してもよい。
【０１３３】
また、各墓参期間に配信設定されたすべてのメッセージの出力情報をメイン制御部２１がメッセージ出力情報記憶部１７に記憶するように構成してもよく、上記すべてのメッセージがユーザの携帯端末３に出力された場合にのみ受け取り可能な特別メッセージをメッセージ記憶部１２に予め記憶しておいてもよい。この場合、制御部６は特別メッセージを出力する特別メッセージ出力部を備え、特別メッセージ出力部は、メッセージ出力情報記憶部１７からすべてのメッセージの出力情報を読み出し、すべてのメッセージが出力されている場合には、メッセージ記憶部１２から特別メッセージを読み出して、読み出した特別メッセージを上記携帯端末３に出力して表示させてもよい。
【０１３４】
メッセージ表示装置１，２００，３００，４００を構成する前述の各機能部は、単体のコンピュータに備えられていてもよいし、通信ネットワーク２を介して通信可能な複数のコンピュータに分散して備えられていてもよい。
また、上記実施形態において説明した各種処理は、メッセージ表示装置１，２００，３００，４００側で実行されてもよいし、携帯端末３側で実行されてもよい。
また、既述の実施形態において、「対応付けられ」とは、直接又は間接的に、各データが関連付けられ又は紐づけられていることを含む。
例えば、メッセージ表示装置１，２００，３００，４００の機能を実現するためのプログラムをコンピュータ読み取り可能な記録媒体に記録して、この記録媒体に記録されたプログラムをコンピュータシステムに読み込ませ、実行することにより各種処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
【０１３５】
また、「コンピュータ読み取り可能な記録媒体」とは、フレキシブルディスク、光磁気ディスク、ＲＯＭ、ＣＤ−ＲＯＭ、ＤＶＤ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１３６】
既述の実施形態に関し、さらに以下の付記を開示する。
（付記１）
故人のメッセージをユーザの携帯端末に表示させるメッセージ表示装置であって、
前記携帯端末から送信された墓石の画像情報と前記携帯端末の位置情報とを受信する通信部と、
前記通信部が受信した前記墓石の画像情報と予め記憶された前記墓石の画像情報とが一致し、かつ、前記通信部が受信した前記携帯端末の位置情報と予め記憶された前記墓石の位置情報とが一致する場合に、前記予め記憶された墓石の画像情報と前記予め記憶された墓石の位置情報とに対応付けられ前記故人を識別する故人識別情報を特定する故人特定部と、
前記故人特定部が特定した前記故人識別情報に対応付けられ予め記憶された第１のメッセージを前記携帯端末に出力して表示させる第１のメッセージ出力部と、
前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記通信部が前記墓石の画像情報と前記携帯端末の位置情報とを受信すると、前記第１のメッセージが閲覧できるように制御する閲覧制御部と、
前記所定の期間経過後に前記通信部が前記墓石の画像情報と前記携帯端末の位置情報とを受信すると、前記故人特定部が特定した前記故人識別情報に対応付けられ予め記憶された第２のメッセージを前記携帯端末に出力して表示させる第２のメッセージ出力部と
を備えるメッセージ表示装置。
【０１３７】
（付記２）
前記第１のメッセージを前記携帯端末に出力することができる第１の配信期間を示し予め記憶された第１の配信期間情報に基づいて、前記通信部が前記墓石の画像情報と前記携帯端末の位置情報とを受信した受信時が、前記第１の配信期間内であるかを判定し、前記第２のメッセージを前記携帯端末に出力することができる第２の配信期間を示し予め記憶された第２の配信期間情報に基づいて、前記受信時が前記第２の配信期間内であるかを判定する期間判定部をさらに備え、
前記第１のメッセージ出力部は、前記受信時が前記第１の配信期間内であると前記期間判定部が判定した場合には、前記第１のメッセージを前記携帯端末に出力して表示させ、
前記第２のメッセージ出力部は、前記受信時が前記第２の配信期間内であると前記期間判定部が判定した場合には、前記第２のメッセージを前記携帯端末に出力して表示させ、
前記閲覧制御部は、前記受信時が前記第２の配信期間内であると前記期間判定部が判定した場合には、前記携帯端末において前記第１のメッセージが閲覧できるように制御する付記１記載のメッセージ表示装置。
【０１３８】
（付記３）
前記第１のメッセージ出力部は、前記受信時が前記第１の配信期間内ではないと前記期間判定部が判定した場合には、前記第１のメッセージを前記携帯端末に出力せず、
前記第２のメッセージ出力部は、前記受信時が前記第２の配信期間内ではないと前記期間判定部が判定した場合には、前記第２のメッセージを前記携帯端末に出力しない付記２記載のメッセージ表示装置。
【０１３９】
（付記４）
予め記憶され不特定の人に向けたメッセージである不特定人向けメッセージを出力する不特定人向けメッセージ出力部をさらに備え、
前記通信部は、前記携帯端末から送信され前記ユーザを識別するユーザ識別情報を受信し、
前記不特定人向けメッセージ出力部は、前記通信部が受信した前記ユーザ識別情報と予め記憶され前記第１のメッセージの宛先人を示す宛先識別情報とが一致しない場合に、前記不特定人向けメッセージを前記ユーザの前記携帯端末に出力して表示させる付記１から付記３のいずれか１つに記載のメッセージ表示装置。
【０１４０】
（付記５）
前記閲覧可能な期間の経過後に、前記第２のメッセージの予告を行う予告メッセージを前記携帯端末に出力して表示させる予告メッセージ出力部をさらに備える付記１から付記４のいずれか１つに記載のメッセージ表示装置。
【０１４１】
（付記６）
前記閲覧可能な期間の経過後に、前記第２の配信期間情報に基づいて、前記第２の配信期間までの日数を示す解禁日情報を前記携帯端末に通知する解禁日情報通知部をさらに備える付記２又は付記２に従属する付記３から付記５のいずれか１つに記載のメッセージ表示装置。
【０１４２】
（付記７）
前記第２の配信期間情報を変更する期間情報変更部をさらに備え、
前記通信部は、前記携帯端末から、前記第２の配信期間の変更指示と、変更後の前記第２の配信期間を示す変更希望期間情報を受信し、
前記期間情報変更部は、前記変更指示と前記変更希望期間情報とに従って、前記第２の配信期間が前記変更希望期間情報に示される前記変更後の第２の配信期間となるように、前記第２の配信期間情報を変更する付記２又は付記２に従属する付記３から付記６のいずれか１つに記載のメッセージ表示装置。
【０１４３】
（付記８）
前記ユーザが前記故人の墓に墓参したことを示す墓参履歴情報を作成する墓参履歴情報作成部と、
前記ユーザが前記故人の墓に墓参したことを通知する墓参履歴通知部とをさらに備え、
前記通信部は、前記携帯端末から送信され前記ユーザを識別するユーザ識別情報を受信し、
前記墓参履歴情報作成部は、前記故人特定部が特定した前記故人識別情報に対応付けられ前記通信部が受信した前記ユーザ識別情報に対応付けられた前記墓参履歴情報を作成し、
前記墓参履歴通知部は、前記墓参履歴情報作成部が前記墓参履歴情報を作成すると、前記故人特定部が特定した前記故人識別情報に対応付けられ予め記憶された他のユーザ識別情報によって識別される他のユーザの携帯端末に、前記墓参履歴情報に対応付けられた前記ユーザ識別情報によって識別される前記ユーザが前記故人の墓に墓参したことを通知する付記１から付記７のいずれか１つに記載のメッセージ表示装置。
【０１４４】
（付記９）
予め記憶され前記故人との続柄を示す続柄情報に基づいて、前記故人と前記ユーザとを含む家系図を前記ユーザの前記携帯端末に表示させる家系図情報出力部をさらに備え、
前記通信部は、前記携帯端末から送信され前記ユーザを識別するユーザ識別情報を受信し、
前記家系図情報出力部は、前記故人特定部が特定した前記故人識別情報に対応付けられ前記通信部が受信した前記ユーザ識別情報によって識別される前記ユーザの前記続柄情報と、前記故人特定部が特定した前記故人識別情報に対応付けられ予め記憶された他のユーザ識別情報によって識別される他のユーザの前記続柄情報とに基づいて、前記家系図を表示させるための家系図情報を作成して前記ユーザの前記携帯端末に出力し、前記家系図を前記ユーザの前記携帯端末に表示させる付記１から付記８のいずれか１つに記載のメッセージ表示装置。
【０１４５】
（付記１０）
前記ユーザの墓参回数を示す墓参回数情報を作成する墓参回数情報作成部をさらに備え、
前記家系図情報出力部は、前記墓参回数情報作成部が作成した前記墓参回数情報が示す前記墓参回数に応じて、前記家系図における前記ユーザ及び前記他のユーザを示す表示を変化させる付記９記載のメッセージ表示装置。
【０１４６】
（付記１１）
故人のメッセージをユーザの携帯端末に表示させるメッセージ表示装置におけるメッセージ表示方法であって、
前記メッセージ表示装置の通信部が、前記携帯端末から送信された墓石の画像情報と、前記携帯端末の位置情報とを受信する受信ステップと、
前記受信ステップにおいて前記通信部が受信した前記墓石の画像情報と予め記憶された前記墓石の画像情報とが一致し、かつ、前記受信ステップにおいて前記通信部が受信した前記携帯端末の位置情報と予め記憶された前記墓石の位置情報とが一致する場合に、前記予め記憶された墓石の画像情報と前記予め記憶された墓石の位置情報とに対応付けられ前記故人を識別する故人識別情報を特定する故人特定ステップと、
前記メッセージ表示装置の第１のメッセージ出力部が、前記故人特定ステップにおいて前記故人特定部が特定した前記故人識別情報に対応付けられ予め記憶された第１のメッセージを前記携帯端末に出力して表示させる第１のメッセージ出力ステップと、
前記メッセージ表示装置の閲覧制御部が、前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記受信ステップにおいて前記通信部が前記墓石の画像情報と前記携帯端末の位置情報とを受信すると、前記第１のメッセージが閲覧できるように制御する閲覧制御ステップと、
前記メッセージ表示装置の第２のメッセージ出力部が、前記所定の期間経過後に前記通信部が前記墓石の画像情報と前記携帯端末の位置情報とを受信すると、前記故人特定ステップにおいて前記故人特定部が特定した前記故人識別情報に対応付けられ予め記憶された第２のメッセージを前記携帯端末に出力して表示させる第２のメッセージ出力ステップと
を含むメッセージ表示方法。
【０１４７】
（付記１２）
故人のメッセージをユーザの携帯端末に表示させるメッセージ表示装置におけるメッセージ表示プログラムであって、
前記メッセージ表示装置の通信部が、前記携帯端末から送信された墓石の画像情報と、前記携帯端末の位置情報とを受信する受信ステップと、
前記受信ステップにおいて前記通信部が受信した前記墓石の画像情報と予め記憶された前記墓石の画像情報とが一致し、かつ、前記受信ステップにおいて前記通信部が受信した前記携帯端末の位置情報と予め記憶された前記墓石の位置情報とが一致する場合に、前記予め記憶された墓石の画像情報と前記予め記憶された墓石の位置情報とに対応付けられ前記故人を識別する故人識別情報を特定する故人特定ステップと、
前記メッセージ表示装置の第１のメッセージ出力部が、前記故人特定ステップにおいて前記故人特定部が特定した前記故人識別情報に対応付けられ予め記憶された第１のメッセージを前記携帯端末に出力して表示させる第１のメッセージ出力ステップと、
前記メッセージ表示装置の閲覧制御部が、前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記受信ステップにおいて前記通信部が前記墓石の画像情報と前記携帯端末の位置情報とを受信すると、前記第１のメッセージが閲覧できるように制御する閲覧制御ステップと、
前記メッセージ表示装置の第２のメッセージ出力部が、前記所定の期間経過後に前記通信部が前記墓石の画像情報と前記携帯端末の位置情報とを受信すると、前記故人特定ステップにおいて前記故人特定部が特定した前記故人識別情報に対応付けられ予め記憶された第２のメッセージを前記携帯端末に出力して表示させる第２のメッセージ出力ステップと
を前記メッセージ表示装置において実行させるメッセージ表示プログラム。
【符号の説明】
【０１４８】
１，２００，３００，４００  メッセージ表示装置
３  携帯端末
７  通信部
２３  故人特定部
２６  期間判定部
２９  第１のメッセージ出力部
３１  閲覧制御部
３２  第２のメッセージ出力部
３４  不特定人向けメッセージ出力部
５１  故人ＩＤ（故人識別情報）
８３  第１の墓参期間情報（第１の配信期間情報）
８６  第２の墓参期間情報（第２の配信期間情報）
９１  ユーザＩＤ（ユーザ識別情報）
２３７  解禁日情報通知部
２３６  予告メッセージ出力部
２３８  期間情報変更部
３３５  墓参履歴情報作成部
３３６  墓参履歴通知部
４３８  家系図情報出力部
【図１】
2018085078.tif 000003
【図２】
2018085078.tif 000004
【図３】
2018085078.tif 000005
【図４】
2018085078.tif 000006
【図５】
2018085078.tif 000007
【図６】
2018085078.tif 000008
【図７】
2018085078.tif 000009
【図８】
2018085078.tif 000010
【図９】
2018085078.tif 000011
【図１０】
2018085078.tif 000012
【図１１】
2018085078.tif 000013
【図１２】
2018085078.tif 000014
【図１３】
2018085078.tif 000015
【図１４】
2018085078.tif 000016
【図１５】
2018085078.tif 000017
【図１６】
2018085078.tif 000018
【図１７】
2018085078.tif 000019
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
故人のメッセージをユーザの携帯端末に表示させるメッセージ表示装置であって、
前記携帯端末から送信された墓石の画像情報と前記携帯端末の位置情報とを受信する通信部と、
前記通信部が受信した前記墓石の画像情報と予め記憶された前記墓石の画像情報とが一致し、かつ、前記通信部が受信した前記携帯端末の位置情報と予め記憶された前記墓石の位置情報とが一致する場合に、前記予め記憶された墓石の画像情報と前記予め記憶された墓石の位置情報とに対応付けられ前記故人を識別する故人識別情報を特定する故人特定部と、
前記故人特定部が特定した前記故人識別情報に対応付けられ予め記憶された第１のメッセージを前記携帯端末に出力して表示させる第１のメッセージ出力部と、
前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記通信部が前記墓石の画像情報と前記携帯端末の位置情報とを受信すると、前記第１のメッセージが閲覧できるように制御する閲覧制御部と、
前記所定の期間経過後に前記通信部が前記墓石の画像情報と前記携帯端末の位置情報とを受信すると、前記故人特定部が特定した前記故人識別情報に対応付けられ予め記憶された第２のメッセージを前記携帯端末に出力して表示させる第２のメッセージ出力部と
を備えるメッセージ表示装置。
【請求項２】
前記第１のメッセージを前記携帯端末に出力することができる第１の配信期間を示し予め記憶された第１の配信期間情報に基づいて、前記通信部が前記墓石の画像情報と前記携帯端末の位置情報とを受信した受信時が、前記第１の配信期間内であるかを判定し、前記第２のメッセージを前記携帯端末に出力することができる第２の配信期間を示し予め記憶された第２の配信期間情報に基づいて、前記受信時が前記第２の配信期間内であるかを判定する期間判定部をさらに備え、
前記第１のメッセージ出力部は、前記受信時が前記第１の配信期間内であると前記期間判定部が判定した場合には、前記第１のメッセージを前記携帯端末に出力して表示させ、
前記第２のメッセージ出力部は、前記受信時が前記第２の配信期間内であると前記期間判定部が判定した場合には、前記第２のメッセージを前記携帯端末に出力して表示させ、
前記閲覧制御部は、前記受信時が前記第２の配信期間内であると前記期間判定部が判定した場合には、前記携帯端末において前記第１のメッセージが閲覧できるように制御する請求項１記載のメッセージ表示装置。
【請求項３】
前記第１のメッセージ出力部は、前記受信時が前記第１の配信期間内ではないと前記期間判定部が判定した場合には、前記第１のメッセージを前記携帯端末に出力せず、
前記第２のメッセージ出力部は、前記受信時が前記第２の配信期間内ではないと前記期間判定部が判定した場合には、前記第２のメッセージを前記携帯端末に出力しない請求項２記載のメッセージ表示装置。
【請求項４】
予め記憶され不特定の人に向けたメッセージである不特定人向けメッセージを出力する不特定人向けメッセージ出力部をさらに備え、
前記通信部は、前記携帯端末から送信され前記ユーザを識別するユーザ識別情報を受信し、
前記不特定人向けメッセージ出力部は、前記通信部が受信した前記ユーザ識別情報と予め記憶され前記第１のメッセージの宛先人を示す宛先識別情報とが一致しない場合に、前記不特定人向けメッセージを前記ユーザの前記携帯端末に出力して表示させる請求項１から請求項３のいずれか１項記載のメッセージ表示装置。
【請求項５】
前記閲覧可能な期間の経過後に、前記第２のメッセージの予告を行う予告メッセージを前記携帯端末に出力して表示させる予告メッセージ出力部をさらに備える請求項１から請求項４のいずれか１項記載のメッセージ表示装置。
【請求項６】
前記閲覧可能な期間の経過後に、前記第２の配信期間情報に基づいて、前記第２の配信期間までの日数を示す解禁日情報を前記携帯端末に通知する解禁日情報通知部をさらに備える請求項２又は請求項２に従属する請求項３から請求項５のいずれか１項記載のメッセージ表示装置。
【請求項７】
前記第２の配信期間情報を変更する期間情報変更部をさらに備え、
前記通信部は、前記携帯端末から、前記第２の配信期間の変更指示と、変更後の前記第２の配信期間を示す変更希望期間情報を受信し、
前記期間情報変更部は、前記変更指示と前記変更希望期間情報とに従って、前記第２の配信期間が前記変更希望期間情報に示される前記変更後の第２の配信期間となるように、前記第２の配信期間情報を変更する請求項２又は請求項２に従属する請求項３から請求項６のいずれか１項記載のメッセージ表示装置。
【請求項８】
前記ユーザが前記故人の墓に墓参したことを示す墓参履歴情報を作成する墓参履歴情報作成部と、
前記ユーザが前記故人の墓に墓参したことを通知する墓参履歴通知部とをさらに備え、
前記通信部は、前記携帯端末から送信され前記ユーザを識別するユーザ識別情報を受信し、
前記墓参履歴情報作成部は、前記故人特定部が特定した前記故人識別情報に対応付けられ前記通信部が受信した前記ユーザ識別情報に対応付けられた前記墓参履歴情報を作成し、
前記墓参履歴通知部は、前記墓参履歴情報作成部が前記墓参履歴情報を作成すると、前記故人特定部が特定した前記故人識別情報に対応付けられ予め記憶された他のユーザ識別情報によって識別される他のユーザの携帯端末に、前記墓参履歴情報に対応付けられた前記ユーザ識別情報によって識別される前記ユーザが前記故人の墓に墓参したことを通知する請求項１から請求項７のいずれか１項記載のメッセージ表示装置。
【請求項９】
予め記憶され前記故人との続柄を示す続柄情報に基づいて、前記故人と前記ユーザとを含む家系図を前記ユーザの前記携帯端末に表示させる家系図情報出力部をさらに備え、
前記通信部は、前記携帯端末から送信され前記ユーザを識別するユーザ識別情報を受信し、
前記家系図情報出力部は、前記故人特定部が特定した前記故人識別情報に対応付けられ前記通信部が受信した前記ユーザ識別情報によって識別される前記ユーザの前記続柄情報と、前記故人特定部が特定した前記故人識別情報に対応付けられ予め記憶された他のユーザ識別情報によって識別される他のユーザの前記続柄情報とに基づいて、前記家系図を表示させるための家系図情報を作成して前記ユーザの前記携帯端末に出力し、前記家系図を前記ユーザの前記携帯端末に表示させる請求項１から請求項８のいずれか１項記載のメッセージ表示装置。
【請求項１０】
前記ユーザの墓参回数を示す墓参回数情報を作成する墓参回数情報作成部をさらに備え、
前記家系図情報出力部は、前記墓参回数情報作成部が作成した前記墓参回数情報が示す前記墓参回数に応じて、前記家系図における前記ユーザ及び前記他のユーザを示す表示を変化させる請求項９記載のメッセージ表示装置。
【請求項１１】
故人のメッセージをユーザの携帯端末に表示させるメッセージ表示装置におけるメッセージ表示方法であって、
前記メッセージ表示装置の通信部が、前記携帯端末から送信された墓石の画像情報と、前記携帯端末の位置情報とを受信する受信ステップと、
前記受信ステップにおいて前記通信部が受信した前記墓石の画像情報と予め記憶された前記墓石の画像情報とが一致し、かつ、前記受信ステップにおいて前記通信部が受信した前記携帯端末の位置情報と予め記憶された前記墓石の位置情報とが一致する場合に、前記メッセージ表示装置の故人特定部が、前記予め記憶された墓石の画像情報と前記予め記憶された墓石の位置情報とに対応付けられ前記故人を識別する故人識別情報を特定する故人特定ステップと、
前記メッセージ表示装置の第１のメッセージ出力部が、前記故人特定ステップにおいて前記故人特定部が特定した前記故人識別情報に対応付けられ予め記憶された第１のメッセージを前記携帯端末に出力して表示させる第１のメッセージ出力ステップと、
前記メッセージ表示装置の閲覧制御部が、前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記受信ステップにおいて前記通信部が前記墓石の画像情報と前記携帯端末の位置情報とを受信すると、前記第１のメッセージが閲覧できるように制御する閲覧制御ステップと、
前記メッセージ表示装置の第２のメッセージ出力部が、前記所定の期間経過後に前記通信部が前記墓石の画像情報と前記携帯端末の位置情報とを受信すると、前記故人特定ステップにおいて前記故人特定部が特定した前記故人識別情報に対応付けられ予め記憶された第２のメッセージを前記携帯端末に出力して表示させる第２のメッセージ出力ステップと
を含むメッセージ表示方法。
【請求項１２】
故人のメッセージをユーザの携帯端末に表示させるメッセージ表示装置におけるメッセージ表示プログラムであって、
前記メッセージ表示装置の通信部が、前記携帯端末から送信された墓石の画像情報と、前記携帯端末の位置情報とを受信する受信ステップと、
前記受信ステップにおいて前記通信部が受信した前記墓石の画像情報と予め記憶された前記墓石の画像情報とが一致し、かつ、前記受信ステップにおいて前記通信部が受信した前記携帯端末の位置情報と予め記憶された前記墓石の位置情報とが一致する場合に、前記メッセージ表示装置の故人特定部が、前記予め記憶された墓石の画像情報と前記予め記憶された墓石の位置情報とに対応付けられ前記故人を識別する故人識別情報を特定する故人特定ステップと、
前記メッセージ表示装置の第１のメッセージ出力部が、前記故人特定ステップにおいて前記故人特定部が特定した前記故人識別情報に対応付けられ予め記憶された第１のメッセージを前記携帯端末に出力して表示させる第１のメッセージ出力ステップと、
前記メッセージ表示装置の閲覧制御部が、前記第１のメッセージを閲覧可能な期間を示し予め記憶された閲覧可能期間情報に基づいて、前記閲覧可能な期間の経過後は、前記携帯端末において前記第１のメッセージが所定の期間閲覧できないように制御し、前記所定の期間経過後に前記受信ステップにおいて前記通信部が前記墓石の画像情報と前記携帯端末の位置情報とを受信すると、前記第１のメッセージが閲覧できるように制御する閲覧制御ステップと、
前記メッセージ表示装置の第２のメッセージ出力部が、前記所定の期間経過後に前記通信部が前記墓石の画像情報と前記携帯端末の位置情報とを受信すると、前記故人特定ステップにおいて前記故人特定部が特定した前記故人識別情報に対応付けられ予め記憶された第２のメッセージを前記携帯端末に出力して表示させる第２のメッセージ出力ステップと
を前記メッセージ表示装置において実行させるメッセージ表示プログラム。